(57)【要約】【課題】固定器具を取り付けた状態であっても撮像装置に対する交換部品の着脱が可能であると共に、撮像装置に取り付けられた交換部品を第三者が容易に取り外すことができないようにする。【解決手段】撮像装置は、交換部品を撮像装置に取り付け可能なマウント手段と、前記撮像装置に取り付けられた前記交換部品をロックするロック手段と、前記ロックを解除する解除手段と、前記ロックを解除可能な第１の状態または前記ロックを解除不能な第２の状態に切り替え可能な切替手段と、を有し、前記撮像装置における前記マウント手段が設けられている面とは異なる面に、前記撮像装置を支持する固定器具を取り付け可能な取付手段が設けられ、前記切替手段は、前記取付手段が設けられている面と同じ面に設けられている。【選択図】図１
2020030315.tif 000002
【特許請求の範囲】
【請求項１】
交換部品を撮像装置に取り付け可能なマウント手段と、
前記撮像装置に取り付けられた前記交換部品をロックするロック手段と、
前記ロックを解除する解除手段と、
前記ロックを解除可能な第１の状態または前記ロックを解除不能な第２の状態に切り替え可能な切替手段と、を有し、
前記撮像装置における前記マウント手段が設けられている面とは異なる面に、前記撮像装置を支持する固定器具を取り付け可能な取付手段が設けられ、
前記切替手段は、前記取付手段が設けられている面と同じ面に設けられていることを特徴とする撮像装置。
【請求項２】
前記切替手段は、前記固定器具が取り付けられた状態では操作できないように遮蔽される位置に設けられていることを特徴とする請求項１に記載の撮像装置。
【請求項３】
前記解除手段は、前記切替手段が前記第１の状態にある場合に前記ロックを解除して前記交換部品を取り外すことが可能であり、前記第２の状態にある場合には前記ロックを解除できず前記交換部品を取り外すことが不能となることを特徴とする請求項１または２に記載の撮像装置。
【請求項４】
前記解除手段は、前記交換部品が取り付けられた状態で前記撮像装置に対して相対的に回転可能な回転部材を有し、
前記回転部材を回転させることで前記ロックが解除可能となることを特徴とする請求項１から３のいずれか１項に記載の撮像装置。
【請求項５】
前記回転部材は、前記切替手段が前記第１の状態の場合は回転が許容され、前記切替手段が前記第２の状態の場合は回転が禁止されることを特徴とする請求項４に記載の撮像装置。
【請求項６】
前記回転部材は、前記固定器具が取り付けられた状態では回転が許容され、前記固定器具が取り外された状態では回転が禁止されることを特徴とする請求項５に記載の撮像装置。
【請求項７】
前記解除手段は、前記撮像装置における前記切替手段が設けられている面とは異なる面に設けられることを特徴とする請求項１から６のいずれか１項に記載の撮像装置。
【請求項８】
前記解除手段は、押しボタンとレバー部とを備え、前記レバー部の回転位置に応じて前記押しボタンの操作を可能または不能とする機構を有することを特徴とする請求項１に記載の撮像装置。
【請求項９】
前記レバー部は、前記固定器具が取り付けられていない状態では前記第１の状態と前記第２の状態の間で回転可能であり、前記固定器具が取り付けられた状態では前記第１の状態から前記第２の状態への回転は可能であるが、前記第２の状態から前記第１の状態への回転は不能とする機構を有することを特徴とする請求項８に記載の撮像装置。
【請求項１０】
前記レバー部は、前記第１の状態から前記第２の状態に回転する場合は前記固定器具に当接すると屈曲して回転を許容し、前記第２の状態から前記第１の状態に回転する場合には前記固定器具に当接しても屈曲せずに回転が不能となるロック部材を有することを特徴とする請求項９に記載の撮像装置。
【請求項１１】
前記切替手段は前記レバー部に隣接して設けられ、
前記切替手段が前記第２の状態に設定されている場合は前記レバー部が前記第１の状態から前記第２の状態に回転することを許容し、
前記切替手段が前記第１の状態に設定されている場合は前記固定器具が取り付けられていない状態で前記レバー部を前記第１の状態に回転させることを特徴とする請求項１０に記載の撮像装置。
【請求項１２】
前記切替手段を前記第２の状態に設定した場合、前記レバー部を前記第２の状態に回転させると前記押しボタンの操作が不能となり、前記切替手段を前記第１の状態に設定した場合、前記レバー部を前記第１の状態に回転させると前記押しボタンの操作が可能となることを特徴とする請求項１１に記載の撮像装置。
【請求項１３】
前記解除手段は、押しボタンと、第１のレバー部と、第２のレバー部と、前記第１のレバー部と前記第２のレバー部を連動させる機構と、を備え、
前記機構は、前記第１のレバー部および第２のレバー部の回転位置に応じて前記押しボタンの操作を可能または不能とすることを特徴とする請求項１に記載の撮像装置。
【請求項１４】
前記第２のレバー部は、前記固定器具が取り付けられていない状態では前記第１の状態と前記第２の状態の間で回転可能であり、前記固定器具が取り付けられた状態では前記第１の状態から前記第２の状態への回転は可能であるが、前記第２の状態から前記第１の状態への回転は不能とする機構を有することを特徴とする請求項１３に記載の撮像装置。
【請求項１５】
前記第２のレバー部は、前記第１の状態から前記第２の状態へ回転する場合に前記固定器具に当接すると屈曲して回転を許容し、前記第２の状態から前記第１の状態へ回転する場合には前記固定器具に当接しても屈曲せずに回転が不能となるロック部材を有することを特徴とする請求項１４に記載の撮像装置。
【請求項１６】
前記切替手段は前記第２のレバー部に隣接して設けられ、
前記切替手段が前記第２の状態に設定されている場合は前記第２のレバー部が前記第１の状態から前記第２の状態へ回転することを許容し、
前記切替手段が前記第１の状態に設定されている場合は前記固定器具が取り付けられていない状態で前記第２のレバー部を前記第１の状態に回転させることを特徴とする請求項１５に記載の撮像装置。
【請求項１７】
前記切替手段を前記第２の状態に設定した場合、前記第１のレバー部を前記第２の状態に回転させると前記押しボタンの操作が不能となり、前記切替手段を前記第１の状態に設定した場合、前記第１のレバー部を前記第１の状態に回転させると前記押しボタンの操作が可能となることを特徴とする請求項１６に記載の撮像装置。
【請求項１８】
前記解除手段は、押しボタンと、前記押しボタンを操作可能な開位置または前記押しボタンを操作不能な閉位置に移動可能なスライド式の操作部材を備え、
前記切替手段は、前記第１の状態では前記操作部材を開位置と閉位置の間で移動可能とし、前記第２の状態では前記操作部材を開位置から閉位置に移動させると、閉位置から開位置への移動が不能となるようにロックする機構を有することを特徴とする請求項１に記載の撮像装置。
【請求項１９】
前記切替手段は、前記第１の状態と前記第２の状態の間で移動するスライド式の操作部材であり、前記操作部材を前記第１の状態または前記第２の状態に保持するロック機構を有することを特徴とする請求項１から１８のいずれか１項に記載の撮像装置。
【請求項２０】
前記切替手段は、前記ロック手段を前記第１の状態に切り替える第１の切替手段と、前記ロック手段を前記第２の状態に切り替える第２の切替手段と、を含み、
前記第１の切替手段は、前記取付手段が設けられている面と同じ面に設けられていることを特徴とする請求項１に記載の撮像装置。
【請求項２１】
前記第１の切替手段は、前記固定器具が取り付けられた状態では操作できないような位置に設けられ、
前記第２の切替手段は、前記撮像装置における前記取付手段が設けられている面とは異なる面であって、前記固定器具が取り付けられた状態で操作可能な位置に設けられていることを特徴とする請求項２０に記載の撮像装置。
【請求項２２】
前記マウント手段に前記交換部品が取り付けられたことを検出する検出手段と、
前記検出手段により前記交換部品が取り付けられたことが検出された場合に、前記第２の切替手段が操作されたことに応じて前記解除手段で前記ロックが解除できないように制御する制御手段と、をさらに有することを特徴とする請求項２０または２１に記載の撮像装置。
【請求項２３】
前記制御手段は、前記検出手段により前記交換部品が取り付けられたことが検出された場合に、前記解除手段を前記第２の状態に切り替えるか否かを選択可能な画面を表示部に表示することを特徴とする請求項２２に記載の撮像装置。
【請求項２４】
前記切替手段は、前記解除手段を前記第１の状態に切り替える第１の切替手段として機能する第１の操作部および前記解除手段を前記第２の状態に切り替える第２の切替手段として機能する複数の第２の操作部を有し、
前記第２の切替手段は、前記取付手段が設けられている面と同じ面に設けられた複数の第２の操作部のうちいずれかに割り当てられることを特徴とする請求項１に記載の撮像装置。
【請求項２５】
前記マウント手段に前記交換部品が取り付けられたことを検出する検出手段と、
前記検出手段により前記交換部品が取り付けられたことが検出された場合に、前記第２の切替手段が操作されたことに応じて前記解除手段で前記ロックが解除できないように制御する制御手段と、をさらに有することを特徴とする請求項２４に記載の撮像装置。
【請求項２６】
前記制御手段は、前記検出手段により前記交換部品が取り付けられたことが検出された後、前記第１の操作部により前記解除手段を前記第２の状態に切り替える操作がなされた場合、前記取付手段に前記固定器具が取り付けられた状態では操作できないような位置に設けられている前記第２の操作部を前記第２の切替手段として割り当てるための画面を表示部に表示することを特徴とする請求項２５に記載の撮像装置。
【請求項２７】
前記制御手段は、前記検出手段により前記交換部品が取り付けられたことが検出された後、前記複数の第２の操作部のいずれかにより前記解除手段を前記第２の状態に切り替える操作がなされた場合、前記複数の第２の操作部のうち前記操作がなされていない前記第２の操作部を前記第２の切替手段として割り当てることを特徴とする請求項２５に記載の撮像装置。
【請求項２８】
前記制御手段は、前記第２の切替手段を割り当てた後、前記解除手段で前記ロックが解除できないように制御することを特徴とする請求項２６または２７に記載の撮像装置。
【請求項２９】
交換部品を撮像装置に取り付け可能なマウント手段と、
前記撮像装置に取り付けられた前記交換部品をロックするロック手段と、
前記ロックを解除する解除手段と、
前記ロックを解除可能な第１の状態または前記ロックを解除不能な第２の状態に切り替え可能な切替手段と、を有し、
前記撮像装置おける前記マウント手段が設けられている面とは異なる面に、前記撮像装置を支持する固定器具を取り付け可能な取付手段が設けられた撮像装置の制御方法であって、
前記マウント手段に前記交換部品が取り付けられたことを検出する検出ステップと、
前記交換部品が取り付けられたことが検出された場合に、前記切替手段が操作されたことに応じて前記解除手段で前記ロックが解除できないように制御する制御ステップと、を有することを特徴とする制御方法。
【請求項３０】
前記切替手段は、前記解除手段を前記第１の状態に切り替える第１の切替手段として機能する第１の操作部および前記解除手段を前記第２の状態に切り替える第２の切替手段として機能する複数の第２の操作部を有し、
前記制御ステップでは、前記交換部品が取り付けられたことが検出された後、前記第１の操作部により前記解除手段を前記第２の状態に切り替える操作がなされた場合、前記取付手段に前記固定器具が取り付けられた状態では操作できないような位置に設けられている前記第２の操作部を前記第２の切替手段として割り当てるための画面を表示部に表示することを特徴とする請求項２９に記載の制御方法。
【請求項３１】
前記切替手段は、前記解除手段を前記第１の状態に切り替える第１の切替手段として機能する第１の操作部および前記解除手段を前記第２の状態に切り替える第２の切替手段として機能する複数の第２の操作部を有し、
前記制御ステップでは、前記交換部品が取り付けられたことが検出された後、前記複数の第２の操作部のいずれかにより前記解除手段を前記第２の状態に切り替える操作がなされた場合、前記複数の第２の操作部のうち前記操作がなされていない第２の操作部を前記第２の切替手段として割り当てることを特徴とする請求項２９に記載の制御方法。
【請求項３２】
コンピュータに、請求項２９から３１のいずれか１項に記載された制御方法を実行させるためのプログラム。
【請求項３３】
コンピュータに、請求項２９から３１のいずれか１項に記載された制御方法を実行させるためのプログラムを格納したコンピュータが読み取り可能な記憶媒体。
【発明の詳細な説明】
【技術分野】
【０００１】
本発明は、撮像装置に取り付けられた交換部品の盗難防止技術に関する。
【背景技術】
【０００２】
最近のスポーツ中継やライブ映像などでは、スポーツやコンサート等を行うスタジアムにおいてフィールドやステージ等を取り囲むように複数のカメラを設置して、様々な視点や角度から撮影した映像を見ることができる。このようなスタジアムでの撮影では、カメラは三脚や雲台に固定され、客席や通路など多くの人がいる場所に設置され、また、スタジアムによって被写体までの距離が異なるので、撮影状況に応じてレンズが選択できるレンズ交換式のカメラが使用される。このようにレンズ交換式カメラを多数設置して撮影を行う場合、各カメラに係員を配置することはできないので、係員が不在の場合に第三者がカメラからレンズを外して持ち出すような行為を抑制する対策が必要である。
【０００３】
特許文献１には、三脚や雲台に固定するためにカメラ本体部の底面部に設けられた取り付け穴の近傍にレンズ交換用のロック解除スイッチを設けたレンズ交換式カメラが開示されている。
【先行技術文献】
【特許文献】
【０００４】
【特許文献１】特開２００６−２４３６５６号公報
【発明の概要】
【発明が解決しようとする課題】
【０００５】
しかしながら、特許文献１では、カメラを三脚や雲台に固定した状態ではロック解除スイッチを操作することができないため、レンズを交換することができない。このため、カメラにレンズを装着した結果、レンズを交換する必要がある場合にはその都度カメラから三脚や雲台を外す必要がある。
【０００６】
本発明は、上記課題に鑑みてなされ、その目的は、固定器具を取り付けた状態であっても撮像装置に対する交換部品の着脱が可能であると共に、撮像装置に取り付けられた交換部品を第三者が容易に取り外すことができないようにする技術を実現することである。
【課題を解決するための手段】
【０００７】
上記課題を解決し、目的を達成するために、本発明の撮像装置は、交換部品を撮像装置に取り付け可能なマウント手段と、前記撮像装置に取り付けられた前記交換部品をロックするロック手段と、前記ロックを解除する解除手段と、前記ロックを解除可能な第１の状態または前記ロックを解除不能な第２の状態に切り替え可能な切替手段と、を有し、前記撮像装置における前記マウント手段が設けられている面とは異なる面に、前記撮像装置を支持する固定器具を取り付け可能な取付手段が設けられ、前記切替手段は、前記取付手段が設けられている面と同じ面に設けられている。
【発明の効果】
【０００８】
本発明によれば、固定器具を取り付けた状態であっても撮像装置に対する交換部品の着脱が可能であると共に、撮像装置に取り付けられた交換部品を第三者が容易に取り外すことができないようにすることができる。
【図面の簡単な説明】
【０００９】
【図１】（ａ）は実施形態１の撮像装置を前方から見た斜視図、（ｂ）は後方から見た斜視図、（ｃ）は撮像装置とレンズユニットを前方から見た斜視図。
【図２】（ａ）はカメラ側レンズマウント部を示す正面図、（ｂ）はカメラ側レンズマウント部を前方から見た斜視図、（ｃ）はレンズユニットを後方から見た斜視図。
【図３】（ａ）はカメラ側レンズマウント部におけるレンズロック機構の部分断面図、（ｂ）はカメラ側レンズマウント部におけるレンズロック機構周辺の部分透視図。
【図４】（ａ）はレンズロック状態におけるレンズロック機構の部分断面図、（ｂ）はロック解除状態におけるレンズロック機構の部分断面図。
【図５】（ａ）はレンズロック機構におけるフロントサブカバーとフロントベースの分解斜視図、（ｂ）はレンズロック機構におけるフロントサブカバーとフロントベースの取付構造を示す部分断面図。
【図６】（ａ）はレンズリリースボタンがレンズロック状態を解除可能な第１の位置にあるときのフロントサブカバーの正面図、（ｂ）は（ａ）からフロントサブカバーを取り除いた状態を示す図。
【図７】（ａ）はレンズリリースボタンがレンズロック状態を解除不能な第２の位置にあるときのフロントサブカバーの正面図、（ｂ）は（ａ）からフロントサブカバーを取り除いた状態を示す図。
【図８】実施形態１の撮像装置の底面図。
【図９】（ａ）は第１のカンヌキ機構をカメラ本体部の内部から見た斜視図、（ｂ）は第１のカンヌキ機構をカメラ本体部の外部から見た分解斜視図、（ｃ）は第１のカンヌキ機構の断面図。
【図１０】第１のカンヌキ機構の動作を説明する図。
【図１１】（ａ）は第２のカンヌキ機構をカメラ本体部の内部から見た斜視図、（ｂ）は第２のカンヌキ機構をカメラ本体部の外部から見た分解斜視図。
【図１２】カメラ側レンズマウント部のフロントサブカバーを機器本体の内部から見た斜視図。
【図１３】第２のカンヌキ機構の動作説明図。
【図１４】実施形態１において盗難防止機能を設定または解除する手順を説明するフローチャート。
【図１５】（ａ）は実施形態２の撮像装置を前面部を上方に向けた状態で構成を簡略化して示す斜視図、（ｂ）は（ａ）のＰ２部分の拡大図。
【図１６】（ａ）は実施形態２の盗難防止機能設定時の動作説明図、（ｂ）は盗難防止機能解除時の動作説明図。
【図１７】（ａ）は実施形態３の撮像装置を前面部を上方に向けた状態で構成を簡略化して示す斜視図、（ｂ）は（ａ）のＰ３部分の拡大図。
【図１８】（ａ）は図１７（ａ）の１７Ａ−１７Ａ断面図であってリンク機構の構成を示す図、（ｂ）は（ａ）の右側面図、（ｃ）は（ａ）を上方から見た図、（ｄ）は（ａ）を下方から見た図。
【図１９】実施形態２，３において盗難防止機能を設定または解除する手順を説明するフローチャート。
【図２０】（ａ）は実施形態４の撮像装置の前面部を上方に向けた状態で構成を簡略化して示す斜視図、（ｂ）は（ａ）のＰ４部分の拡大図（開位置）、（ｃ）は（ａ）のＰ４部分の拡大図（閉位置）。
【図２１】（ａ）は図２０（ａ）の２０Ａ−２０Ａ断面図であってリンク機構の構成を示す図、（ｂ）は（ａ）の右側面図、（ｃ）は（ａ）の２１Ａ−２１Ａ断面図。
【図２２】実施形態４において盗難防止機能を設定または解除する手順を説明するフローチャート。
【図２３】（ａ）は実施形態５の撮像装置を前方から見た斜視図、（ｂ）は後方から見た斜視図、（ｃ）は撮像装置の電気的構成を示す機能ブロック図。
【図２４】レンズリリースボタンユニットの分解斜視図。
【図２５】（ａ）は実施形態５のレンズリリースボタンユニットのレンズロック状態における断面図、（ｂ）はロック解除状態における断面図。
【図２６】（ａ）はロック解除状態におけるレンズリリースボタンユニット周辺を前方から見た図、（ｂ）は（ａ）の２６Ａ−２６Ａ断面図、（ｃ）はロック解除状態におけるレンズリリースボタンユニット周辺を前方から見た図、（ｄ）は（ｃ）の２６Ｂ−２６Ｂ断面図。
【図２７】（ａ）は実施形態５において盗難防止機能を設定する手順を示すフローチャート、（ｂ）は盗難防止機能を解除する手順を示すフローチャート。
【図２８】（ａ）は実施形態６の撮像装置を前方から見た斜視図、（ｂ）は後方から見た斜視図。
【図２９】実施形態６の撮像装置の電気的構成を示すブロック図。
【図３０】（ａ）は実施形態６において盗難防止機能を設定する手順を示すフローチャート、（ｂ）は盗難防止機能を設定する際のガイダンス画面を示す図。
【図３１】（ａ）は実施形態７の撮像装置を前方から見た斜視図、（ｂ）は後方から見た斜視図。
【図３２】実施形態７の撮像装置の電気的構成を示すブロック図。
【図３３】（ａ）は実施形態７において盗難防止機能を設定する手順を示すフローチャート、（ｂ）は盗難防止機能を設定する際のボタン設定画面を示す図。
【発明を実施するための形態】
【００１０】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１１】
以下の説明では、撮像装置を正面（レンズ側）から見たときに、撮像装置に向かって、右の方向を右側または＋Ｘ方向、左の方向を左側または−Ｘ方向、上の方向を上側、上方または＋Ｙ方向、下の方向を下側、下方または−Ｙ方向、撮像装置に近づく方向を前側、前方または＋Ｚ方向、撮像装置から遠ざかる方向を後側、後方または−Ｚ方向と定義する。
【００１２】
［実施形態１］
＜外観構成＞
まず、図１を参照して、本実施形態の撮像装置の外観構成について説明する。
【００１３】
本実施形態の撮像装置１０００は、例えば、レンズユニット９００が着脱可能なレンズ交換式のデジタルカメラである。レンズユニット９００は、カメラ本体部１００１に対して着脱可能な交換部品の一例である。カメラ１０００の筐体を構成するカメラ本体部１００１は、前面部１００２、背面部１００３、上面部１００４、底面部１００５、右側面部１００６、左側面部１００７を備える。上面部１００４および底面部１００５は平面となっている。
【００１４】
カメラ１０００は、前面部１００２にカメラ側マウント部１０１０が設けられ、レンズユニット９００のレンズ側マウント部９０１がカメラ側マウント部１０１０に取り付け可能である。
【００１５】
カメラ１０００は、光軸上におけるカメラ本体部１００１の内部にレンズユニット９００を通して入射される被写体像を撮像するイメージセンサ１００８が設けられる。
【００１６】
右側面部１００６には、その前側において電源スイッチ１５０１が上側、録画ボタン１５０２が下側に設けられている。また、右側面部１００６には、その後側に不図示のカード挿入口を開閉可能な蓋部１５０３が設けられている。
【００１７】
左側面部１００７には、不図示の外部機器と接続するための複数のコネクタ１５０７〜１５１０および操作部１５１１が設けられている。コネクタ１５０７は画像信号の入出力を行う端子を有する。コネクタ１５０８は外部マイクを接続し、音声信号の入出力を行う端子を有する。コネクタ１５０９はインターネットなどのネットワークと接続する端子を有する。コネクタ１５１０は外部機器から電力供給を受ける端子を有する。コネクタ１５０７〜１５１０は左側面部１００７の後側に上側から下側にわたって配置されている。また、左側面部１００７における、コネクタ１５０７〜１５１０よりも前側には各種設定やＮＤ切り替えを行う操作部１５１１が設けられている。
【００１８】
背面部１００３には、撮影画像または再生画像を表示したり、カメラ１０００の設定状態を表示する表示部１５０４が設けられている。また、背面部１００３における表示部１５０４の下側にはバッテリ１５０６を装着可能なバッテリ収納部１５０５が設けられている。
【００１９】
底面部１００５には、カメラ本体部１００１を支持する三脚や雲台などの固定器具８００を取り付け可能な器具取付部１０７０が設けられ、器具取付部１０７０の近傍には盗難防止スイッチ１０８０が設けられている。盗難防止スイッチ１０８０は、後述するレンズロック機構１２００の盗難防止機能の設定を「有効（盗難防止）」または「無効（盗難防止解除）」に切り替えるための切替手段として機能する。
なお、本実施形態の盗難防止機能は、レンズロック機構１２００によりカメラ本体部１００１に装着し固定されたレンズユニット９００をカメラ本体部１００１から容易に取り外しできないようにする機能である。具体的には、カメラ本体部１００１からレンズユニット９００を取り外すときに操作するレンズリリースボタン１０５０を操作不能にする機能である。
【００２０】
次に、図１および図２を参照して、カメラ本体部１００１にレンズユニット９００を取り付けるためのカメラ側マウント部１０１０およびレンズ側マウント部９０１の構成を説明する。
【００２１】
図２（ａ）および図２（ｂ）において、カメラ本体部１００１の前面部１００２には、レンズユニット９００が着脱可能なカメラ側マウント部１０１０が設けられている。カメラ側マウント部１０１０は、マウント開口１０１１とカメラ側マウントリング１０１２とバヨネット１０１３を含む。カメラ側マウントリング１０１２は、マウント開口１０１１に設けられている。バヨネット１０１３はカメラ側マウントリング１０１２の内周部に所定の間隔（例えば１２０°）で複数枚（例えば３枚）設けられている。
【００２２】
図２（ｃ）において、レンズユニット９００の後側にはカメラ側マウント部１０１０と対応するレンズ側マウント部９０１が設けられている。レンズ側マウント部９０１は、レンズ側マウントリング９０２とバヨネット受け部９０３を含む。バヨネット受け部９０３は、カメラ側マウント部１０１２のバヨネット１０１３に対応するように、レンズ側マウントリング９０２の内周部に所定の間隔（例えば１２０°）で複数枚（例えば３枚）設けられている。
【００２３】
レンズ側マウントリング９０２には、レンズユニット９００がカメラ本体部１００１に装着された状態で後述するロックピン１０２０が挿入される位置決め孔９０４が形成されている。
【００２４】
レンズユニット９００が装着された状態では、カメラ側マウントリング１０１２がレンズ側マウントリング９０２に当接し、バヨネット１０１３がバヨネット受け部９０２に係合する。
【００２５】
図１（ａ）に示すように、前面部１００２のマウント開口１０１１の内方には複数の接点を備えたカメラ側通信部１５００が設けられている。また、図２（ｃ）に示すように、レンズユニット９００のレンズ側マウントリング９０２の内方にはレンズ側通信部９０５が設けられている。カメラ本体部１００１にレンズユニット９００が装着された状態でカメラ側通信部１５００とレンズ側通信部９０５が電気的に接続され、カメラ１０００とレンズユニット９００との間でデータ通信や電力供給が行われる。
【００２６】
レンズユニット９００をカメラ側マウント部１０１０に装着する場合、レンズユニット９００の隣り合うバヨネット受け部９０３の間の切欠部９０３ａに、カメラ側マウント部１０１０の各バヨネット１０１３を嵌め込む。そして、レンズ側マウントリング９０２とカメラ側マウントリング１０１２が当接したところでレンズユニット９００を光軸まわりに回転させることで、各バヨネット１０１３が各バヨネット受け部９０３に係合する。この係合状態で、レンズ側マウントリング９０２のリング面１１３１ａに形成された位置決め孔９０４が後述するロックピン１０２０の位置と一致し、ロックピン１０２０が位置決め孔９０４に挿入する。これにより、カメラ本体部１００１とレンズユニット９００が相対回転不能な状態に位置決めされる。さらに、バヨネット１０１３とバヨネット受け部９０３が前後方向／Ｚ方向に係合され、レンズユニット９００はカメラ本体部１００１に固定される。
【００２７】
＜レンズロック機構１２００＞
次に、図２、図３および図４を参照して、レンズロック機構１２００の構成について説明する。
【００２８】
本実施形態のカメラ１０００には、レンズユニット９００をカメラ本体部１００１に装着し固定するレンズロック機構１２００が設けられている。レンズロック機構１２００は、ロックピン１０２０、フロントベース１０３０、フロントサブカバー１０４０、リリースボタン１０５０、フロントカバー１０６０を有する。
【００２９】
ロックピン１０２０は、プレート部材１０２０ｂに軸体１０２０ａが加締め加工により結合されている。後述するフロントベース１０３０のバネ保持部１０３１に保持されている圧縮コイルバネ１０２３により、ロックピン１０２０は常に前側／＋Ｚ方向に付勢され、ロックピン１０２０の先端部がカメラ側マウントリング１０１２に対して進退可能に突出している。
【００３０】
カメラ側マウント部１０１０は、カメラ本体部１００１の前面部１００２における、矩形状のフロントカバー１０６０の略中央に配置されている。カメラ側マウントリング１０１２の外周には、カメラ側マウントリング１０１２と略同心のリング状のフロントサブカバー１０４０が装着されている。フロントサブカバー１０４０には、後側に向かって凹んだ形状のボタン収納部１０４１が形成され、ボタン収納部１０４１の略中央には穴部を備える筒部１０４２が形成されている。
【００３１】
レンズリリースボタン１０５０は筒状の外形を有し、後側に円筒状のボタン軸１０５０ａが突設されている。そして、ボタン軸１０５０ａは筒部１１６２に嵌入され、ボタン軸１０５０ａの端部に段付きプレート部材１０５１がビス１０５４で固定される。段付きプレート部材１０５１は断面が略Ｚ状であり、作用部１０５２がフロントサブカバー１０４０とプレート部材１０２０ｂの間に配置される。
【００３２】
ボタン軸１０５０ａの外周には、リリースボタン用バネ１０５３が装着され、その一端が筒部１０４２の端部に当接している。レンズリリースボタン１０５０は、リリースボタン用バネ１０５３により常に前側／＋Ｚ方向に付勢された状態で前後方向／Ｚ方向に変位可能である。
【００３３】
＜レンズユニット９００の装着＞
カメラ本体部１００１にレンズユニット９００を装着する場合、最初にレンズ側マウントリング９０２のリング面９０２ａがロックピン１０２０に当接し、図４（ａ）に示すように、ロックピン１０２０が後側に押し込まれた状態となる。さらにリング面９０２ａがカメラ側マウントリング１０１２に当接すると、ロックピン１０２０の先端部がカメラ側マウントリング１０１２と略同一面となるまで圧縮コイルバネ１０２３のバネ力に抗して押し下げられ、圧縮コイルバネ１０２３が圧縮される。この状態でレンズユニット９００を回転させていくと、ある角度で位置決め孔９０４とロックピン１０２０の位置が一致する。
【００３４】
位置決め孔９０４の外形はロックピン１０２０よりも若干大きいため、ロックピン１０２０は圧縮コイルバネ１０２３のバネ力で押し上げられてカメラ側マウントリング１０１２のリング面１０１２ａから突出し、位置決め孔９０４に挿入する。
【００３５】
このようにレンズユニット９００がカメラ本体部１００１に装着されると、バヨネット１０１３とバヨネット受け部９０３が前後方向／Ｚ方向に係合する。そして、レンズ側通信部９０５とカメラ側通信部１５００の各端子が接触し、レンズユニット９００とカメラ本体部１００１が通信可能となる。
【００３６】
＜レンズユニット９００の取り外し＞
図４（ｂ）に示すように、レンズリリースボタン１０５０を押し下げると、レンズユニット９００がカメラ本体部１００１に対して回転可能となり、レンズユニット９００をカメラ本体部１００１から取り外し可能となる。レンズリリースボタン１０５０を押し下げると、レンズリリースボタン１０５０に固定された段付きプレート部材１０５１の作用部１０５２がプレート部材１０２０ｂを押し下げる。これにより、ロックピン１０２０の先端部がカメラ側マウントリング１０１２のリング面１０１２ａより下降し、位置決め孔９０４との係合が解ける。この状態で、レンズユニット９００をカメラ本体部１００１に対して回転させるとバヨネット１０１３とバヨネット受け部９０３の係合が解けて、レンズユニット９００がカメラ本体部１００１から外れる。
【００３７】
＜フロントサブカバー１０４０とフロントベース１０３０の取付構造＞
次に、図５から図７を参照して、フロントサブカバー１０４０とフロントベース１０３０の取付構造について説明する。
【００３８】
図５（ａ）に示すように、フロントサブカバー１０４０の後側の端面には複数（例えば４本）のボス部１０４７が設けられている。これらのボス部１０４７は光軸を中心として所定の角度（例えば９０°）ごとに配置されている。
【００３９】
フロントベース１０３０は金属や樹脂を成形加工したシャシーであり、その前側／＋Ｚ方向の端面にはカメラ側マウントリング１０１２が不図示のビスにより固定されている。
【００４０】
カメラ側マウントリング１０１２から後側に若干離れた部位にはフランジ部１０３２が形成されている。フランジ部１０３２にはボス部１０４７に対応した位置に部分的な円弧状の長孔１０３３が形成されている。そして、段付きビス１０９０を長孔１０３３に通し、ボス部１０４７に固定することで、フロントサブカバー１０４０がフロントベース１０３０に対して長孔１０３３に沿って相対回転可能に装着される。
【００４１】
フロントサブカバー１０４０の内径部１０４３はカメラ側マウントリング１０１２の外径より大きいので、フロントサブカバー１０４０は光軸中心に円弧状に左右／Ｘ方向に回動可能となる。
【００４２】
段付きビス１０９０は同一形状である。図５（ｂ）は段付きビス１０９０の周辺の断面構造を示している。段付きネジ１０９０は頭部１０９２とネジ軸部１０９３の間に軸径より若干小さく、頭部１０９２より若干小さい径の段部１０９１が設けられている。段部１０９１の前後方向／Ｚ方向の長さはフランジ部１０３２の厚さより長く、段部１０９１の外径は長孔１０３３の幅よりも小さい。
【００４３】
図６（ａ）はレンズリリースボタン１０５０がレンズロック状態を解除可能な第１の位置にあるときのフロントサブカバーの正面図を示している。図６（ｂ）は図６（ａ）からフロントサブカバー１０４０を取り除いた状態を示している。
【００４４】
図６（ｂ）では作用部１０５２とプレート部材１０２０ｂが前後方向／Ｚ方向に重なる位置関係となる。このため、レンズリリースボタン１０５０を押し下げることでロックピン１０２０を後側に変位させ、レンズ側マウントリング９０２の位置決め孔９０４との係合を解くことができる。
【００４５】
図７（ａ）はレンズリリースボタン１０５０がレンズロック状態を解除不能な第２の位置にあるときのフロントサブカバーの正面図を示している。図７（ｂ）は図７（ａ）からフロントサブカバー１０４０を取り除いた状態を示している。
【００４６】
フロントサブカバー１０４０を図６の位置から反時計周りにθ°回転させると、レンズリリースボタン１０５０がフロントベース１０３０に対して相対的に変位する。すると、図７（ｂ）に示すように、作用部１０５２とプレート部材１０２０ｂが前後方向／Ｚ方向に重ならない位置関係となる。この状態では、レンズリリースボタン１０５０を押し下げてもロックピン１０２０を後側に変位させることができないため、レンズ側マウントリング９０２の位置決め孔９０４との係合を解くことができない。
【００４７】
＜底面部１００５の構成＞
次に、図８を参照して、カメラ本体部１００１の底面部１００５の構成を説明する。
【００４８】
底面部１００５における光軸付近には器具取付部１０７０が設けられ、器具取付部１０７０の左側に隣接して盗難防止スイッチ１０８０が設けられている。盗難防止スイッチ１０８０は前後方向／Ｚ方向にレバー部を移動することで盗難防止機能を有効または無効に設定することができる。
【００４９】
器具取付部１０７０は、複数（例えば２本）のビス１０７１により底面部１００５に固定されている。器具取付部１０７０の略中央には三脚や雲台などを取り付け可能なネジ穴１０７２が形成されている。
【００５０】
＜盗難防止機能の設定／解除手順＞
次に、図１４を参照して、本実施形態のカメラ１０００において盗難防止機能を設定または解除する手順を説明する。
【００５１】
Ｓ１の初期状態では、器具取付部１０７０に固定器具８００が取り付けられていない状態、かつ盗難防止スイッチ１０８０が「無効」に設定され、かつフロントサブカバー１０４０がレンズロック状態を解除可能な第１の位置にある。
【００５２】
Ｓ２では盗難防止スイッチ１０８０を「有効」に設定する。
【００５３】
Ｓ３では固定器具８００を器具取付部１０７０に取り付ける。
【００５４】
Ｓ４ではレンズユニット９００をカメラ本体部１００１に装着する。
【００５５】
Ｓ５ではフロントサブカバー１０４０を反時計周りにθ°回転させてレンズロック状態を解除不能な第２の位置に移動する。
【００５６】
このような手順を経て、Ｓ６で盗難防止機能が設定され、カメラ１０００は図７の状態となる。
【００５７】
次に、Ｓ６で設定された盗難防止機能を解除する手順を説明する。
【００５８】
Ｓ７では固定器具８００をカメラ本体部１００１から取り外す。
【００５９】
Ｓ８では盗難防止スイッチ１０８０を「無効」に設定する。
【００６０】
Ｓ９ではフロントサブカバー１０４０を時計周りにθ°回転して第１の位置に戻す。
【００６１】
このような手順を経て、Ｓ１０で盗難防止機能が解除され、カメラ１０００は図６の状態となり、レンズリリースボタン１０５０を押し下げることでレンズユニット９００をカメラ本体部１００１から取り外し可能となる。
【００６２】
＜カンヌキ機構１３００、１４００の構成＞
次に、図９から図１３を参照して、底面部１００５に設けられた器具取付部１０７０に連動する第１のカンヌキ機構１３００および第２のカンヌキ機構１４００について説明する。
【００６３】
まず、図９、図１０および図１２を参照して、第１のカンヌキ機構１３００について説明する。
【００６４】
図９（ａ）は底面部１００５に対して器具取付部１０７０とは反対側に設けられた第１のカンヌキ機構１３００を示している。図９（ｂ）は第１のカンヌキ機構１３００の分解斜視図である。図９（ｃ）はネジ穴１０７２の略中央をＸＹ平面で切断した状態を示している。
【００６５】
底面部１００５には、器具取付部１０７０のネジ穴１０７２が形成される筒形状部１３０１が形成されている。筒形状部１３０１は、底面部１００５からカメラ本体部１００１の内部に突出する突出部１３０１ａを有し、突出部１３０１ａの上端には開口部１３０１ｂが形成されている。
【００６６】
シャシー１３０２の上部には下側の延びるガイドピン１３０２ａが形成されている。また、シャシー１３０２の左側面には固定面１３０２ｂがＸＺ平面と平行に形成され、固定面１３０２ｂに形成された穴部１３０２ｃがビス１３０５により底面部１００５に形成されたボス部１００５ａに固定される。
【００６７】
第１のカンヌキ部材１３０３はその上面部に孔部１３０３ａが形成され、ガイドピン１３０２ａがスライド可能に挿通される。第１のカンヌキ部材１３０３の右側面には円弧状の凹部１３０３ｂが形成され、シャシー１３０２の右側面に形成された内壁１３０２ｄと、凹部１３０３ｂの間には圧縮コイルバネ１３０６が上下方向／Ｙ方向に伸縮可能に収容される。
【００６８】
第１のカンヌキ部材１３０３の作用ピン１３０３ｃは下側／−Ｙ方向に延びる軸形状であり、器具取付部１０７０の開口部１３１０ｃにスライド可能に挿通される。
【００６９】
図１２はフロントサブカバー１０４０をカメラ本体部１００１の内部（後側／−Ｚ方向）から見た斜視図である。
【００７０】
フロントサブカバー１０４０のリング状の筒部１０４６には第１の切欠き部１０４４と第２の切欠き部１０４５が形成されている。
【００７１】
図９（ａ）に示すフロントサブカバー１０４０の第１の位置は固定器具８００が取り付けられていない状態であり、図１４のＳ１の初期状態に対応する。
【００７２】
第１のカンヌキ部材１３０３には、前側／＋Ｚ方向に突出し上側／＋Ｙ方向に延びる直方体状の第１の係合部１３０３ｄが形成されている。
【００７３】
図１０（ａ）は、図１４のＳ１の初期状態における第１の切欠き部１０４４と第１の係合部１３０３ｄの位置関係を示している。
【００７４】
第１の切欠き部１０４４と第１の係合部１３０３ｄが係合した状態ではフロントサブカバー１０４０は回転不能状態となる。
【００７５】
図１０（ｂ）は、図１４のＳ３における第１の切欠き部１０４４と第１の係合部１３０３ｄの位置関係を示している。
【００７６】
器具取付部１０７０のネジ穴１０７２に固定器具８００のネジ部８０１が螺合されると、作用ピン１３０３ｃの下端が押し上げられ、第１のカンヌキ部材１３０３が上側／＋Ｙ方向に移動する。これにより、第１の切欠き部１０４４と第１の係合部１３０３ｄとの係合が解かれ、フロントサブカバー１０４０が回転可能状態となる。
【００７７】
次に、図１１および図１３を参照して、第２のカンヌキ機構１４００について説明する。
【００７８】
第２のカンヌキ機構１４００は、カメラ本体部１００１の底面部１００５に設けられた盗難防止スイッチ１０８０の動作に連動する。
【００７９】
第２のカンヌキ部材１４０１は、前後方向／Ｚ方向に延びる角柱状を有し、ＸＹ平面と平行な平板部１４０１ｄを挟んで前側／＋Ｚ方向に第２の係合部１４０１ａ、後側／−Ｚ方向に摺動部１４０１ｂを備える。また、摺動部１４０１ｂの上面部には上側／＋Ｙ方向に略円柱状の突起部１４０１ｅが立設されている。
【００８０】
第２のカンヌキ部材１４０１は保持部材１４０２により前後方向／Ｚ方向に移動可能に保持される。保持部材１４０２は第２のカンヌキ部材１４０１を上方から覆うように保持する。保持部材１４０２は下側／−Ｙ方向に開口し前後方向／Ｚ方向に延びる断面凹状の外形を有し、左右の側壁部１４０２ａが摺動部１４０１ｂの側面部を摺動可能に支持する。左右の側壁部１４０２ａをつなぐ上面部１４０２ｂには前後方向／Ｚ方向に沿って長孔１４０２ｃが形成されている。左右の側壁部１４０２ａの前側／＋Ｘ方向にはＸＺ平面と平行に固定アーム部１４０２ｄが右側／＋Ｘ方向に延び、固定アーム部１４０２ｄの端部には孔部１４０２ｅが形成されている。
【００８１】
第２のカンヌキ部材１４０１と圧縮コイルバネ１４０３は前後方向／Ｚ方向に直列に配置され、圧縮コイルバネ１４０３ｂの前側／＋Ｚ方向の端部１４０３ａが第２のカンヌキ部材１４０１の後側／−Ｚ方向の端部１４０１ｃに当接する。
【００８２】
底面部１００５におけるカメラ本体部１００１の内部側には、リブ部１００５ｂが前後方向／Ｚ方向に延びて形成されている。そして、リブ１００５ｂの上面部に第２のカンヌキ部材１４０１と圧縮コイルバネ１４０３が配置され、その上方から保持部材１４０２により覆われ、突起部１４０１ｅが長孔１４０２ｃから突出した状態となる。第２のカンヌキ部材１４０１と圧縮コイルバネ１４０３は保持部材１４０２とリブ部１００５ｂにより前後方向／Ｚ方向に移動可能に保持される。
【００８３】
盗難防止スイッチ１０８０には、上側／＋Ｙ方向に延びるボス部１０８０ａが形成され、ボス部１０８０ａが底面部１００５に形成された連通孔１００５ｃを通して、ビス１４０５により固定アーム部１４０２ｄの孔部１４０２ｅに固定される。
【００８４】
保護カバー１４０４は保持部材１４０２に保持された状態の第２のカンヌキ部材１４０１と圧縮コイルバネ１４０３を上方から覆うように配置される。保護カバー１４０４には右側／＋Ｘ方向および左側／−Ｘ方向に延びる固定アーム部１４０４ｂ、１４０４ｃが形成されている。また、固定アーム部１４０４ｂ、１４０４ｃが底面部１００５におけるカメラ本体部１００１の内部側に形成されたボス部１００５ｄ、１００５ｅにビス１４０６によって固定される。
【００８５】
保護カバー１４０４の後側／−Ｚ方向には、ＸＹ平面と略平行な端面１４０４ａが設けられており、圧縮コイルバネ１４０３の後側／−Ｚ方向の端部１４０３ｂが端面１４０４ａに当接する。
【００８６】
弾性部材１０８１は弾性変形が可能な半円リング状の付勢部１０８１ａを有し、底面部１００５におけるカメラ本体部１００１の内部側に形成された不図示のボス部にＸＺ平面に平行に固定される。弾性部材１０８１は、盗難防止スイッチ１０８０が「有効」および「無効」のいずれの位置にある場合であっても、ボス部１０８０ａと付勢部１０８１ａが接触している。盗難防止スイッチ１０８０が「有効」の位置にある場合は、付勢部１０８１ａはボス部１０８０ａを前側／＋Ｚ方向に付勢し、盗難防止スイッチ１０８０が「無効」の位置にある場合は付勢部１０８１ａはボス部１０８０ａを−Ｚ方向へ付勢している。
【００８７】
図１３（ａ）は盗難防止スイッチ１０８０が「無効」の位置にある場合の第２のカンヌキ機構１４００とフロントサブカバー１０４０の位置関係を示している。図１３（ａ）の状態は図１４のＳ１の初期状態の状態に対応している。保持部材１４０２が後側／−Ｚ方向に移動し、長孔１４０２ｃの端面１４０２ｃ１が突起部１４０１ｅと当接して、第２のカンヌキ部材１４０１が後側／−Ｚ方向に移動し、第２の係合部１４０１ａとフロントサブカバー１０４０は接触していない。
【００８８】
図１３（ｂ）は盗難防止スイッチ１０８０が「有効」の位置にある場合の第２のカンヌキ機構１４００とフロントサブカバー１０４０の位置関係を示している。図１３（ｂ）の状態は図１４のＳ２からＳ４までの状態に対応している。保持部材１４０２は前側／＋Ｚ方向に移動し、長孔１４０２ｃの端面１４０２ｃ１も前側／＋Ｚ方向に移動するが、フロントサブカバー１０４０は図９（ａ）および図１０（ａ）に示す第１の位置（図１４のＳ１の初期状態）にある。このため、突起部１４０１ｅが長孔１４０２ｃの端面１４０２ｃ１に当接する前に、第２の係合部１４０１ａがフロントサブカバー１０４０の筒部１０４６の端面１０４５ａに当接する。
【００８９】
図１３（ｃ）は図１３（ｂ）の状態からフロントサブカバー１０４０を反時計方向にθ°回転させた場合の第２のカンヌキ機構１４００とフロントサブカバー１０４０の位置関係を示している。図１３（ｃ）の状態は図１４のＳ６の盗難防止機能を設定した状態に対応している。第２の係合部１４０１ａが圧縮コイルバネ１４０３のバネ力により前側／＋Ｚ方向に押し出されてフロントサブカバー１０４０の第２の切欠き部１０４５に係合する。
【００９０】
＜盗難防止機能の解除＞
図１３（ｃ）は図１４のＳ６の盗難防止機能を設定した状態から固定器具８００を取り外した場合のフロントサブカバー１０４０の第１の切欠き部１０４４と第１のカンヌキ部材１３０３の第１の係合部１３０３ｄの位置関係を示している。
【００９１】
固定器具８００のネジ部８０１がネジ穴１０７２から抜かれると、第１のカンヌキ部材１３０３は圧縮コイルバネ１３０６によって上側／−Ｙ方向に付勢されるが、フロントサブカバー１０４０は図１３（ｃ）の第２の位置のままである。このため、第１の切欠き部１０４４と第２の係合部１３０３ｄの位置は一致せず、第１の係合部１３０３ｄの端部はフロントサブカバー１０４０の筒部１０４６の内径部分に当接して下側／−Ｙ方向に付勢された状態で停止する。
【００９２】
この状態から盗難防止スイッチ１０８０を「無効」の位置に切り替えると、図１３（ｃ）の状態から第２のカンヌキ部材１４０１が後側／−Ｚ方向に後退する。そして、第２の係合部１４０１ａがフロントサブカバー１０４０の第２の切欠き部１０４５から離間し係合が解かれる。
【００９３】
この状態からフロントサブカバー１０４０を時計方向にθ°（第２の位置から第１の位置に）回転すると、圧縮コイルバネ１３０６のバネ力により第１の係合部１３０３ｄが第１の切欠き部１０４４と係合して図１０（ａ）、図１４のＳ１の初期状態となる。
【００９４】
本実施形態によれば、例えば、不特定多数の人がいるスタジアムやコンサート会場などでの撮影において、三脚や雲台などの固定器具８００を取り付けたカメラ１０００を置いたままユーザがその場を離れる場合にレンズユニット９００の盗難防止効果を向上することができる。すなわち、そのような場合は、盗難防止スイッチ１０８０を「有効」にしてカメラ１０００に固定器具８００を取り付け、フロントサブカバー１０４０を反時計方向のθ°（第２の位置に）回転させることで盗難防止機能を設定できる。
この状態から、レンズユニット９００をカメラ本体部１００１から取り外すためには、まずカメラ本体部１００１から固定器具８００を取り外す。さらに、盗難防止スイッチ１０８０を「無効」にし、フロントサブカバー１０４０を時計方向のθ°（第１の位置に）回転させる必要がある。このため、ユーザが不在の場合にカメラ１０００から第三者がレンズユニット９００を取り外して持ち出すような行為に対する抑止力が向上する。
【００９５】
また、ユーザが間違って盗難防止スイッチ１０８０を「有効」にしてしまった場合でも、固定器具８００を取り付けない限り、フロントサブカバー１０４０を反時計方向にθ°（第２の位置に）回転させることができないので、誤操作の可能性も低減される。
【００９６】
なお、本実施形態は、本発明の趣旨を逸脱しない範囲で各種の変更、変形が可能である。
【００９７】
本実施形態のカンヌキ機構はバネ力を利用した構成としているが、これに限定されず、固定器具の装着や盗難防止スイッチの位置を検知して、モータ等の動力を利用してカンヌキ機構を作動させてもよい。
【００９８】
また、本実施形態ではフロントサブカバー１０４０を回転させることで、レンズリリースボタン１０５０を押してもロックピン１０２０の係合が解けない構成にしている。これに対して、レンズリリースボタン１０５０のみを移動させることでロックピンの係合が解けないようにしてもよい。
【００９９】
また、フロントサブカバー１０４０が第２の位置にあることを、不図示のスイッチなどで検出し、その際に特定のボタンを長押しなど、特殊な操作をすることでカメラ１０００の少なくとも一部の操作ボタンを無効化することも可能である。このようにすることで、ユーザがカメラ１０００をおいてその場から離れている間に第三者が勝手に設定や動作を変更してしまうことを防止することができる。また、不図示の無線機能を用いてカメラ１０００の遠隔制御を可能とすれば、スタジアムなど広い場所で複数台のカメラを盗難防止状態にしながら単独で遠隔操作が可能となる。
【０１００】
［実施形態２］次に、実施形態２について説明する。
【０１０１】
実施形態２では、実施形態１と同一の構成には同一の符号を付し、対応する構成または異なる構成に２０００番台の符号を付して説明する。
【０１０２】
本実施形態の撮像装置２０００は、実施形態１と同様にレンズ交換式のカメラである。
【０１０３】
図１５（ａ）は実施形態２の撮像装置２０００を前面部２００２を上方に向けた状態で構成を簡略化して示す斜視図であり、図１５（ｂ）は図１５（ａ）のＰ２部分の拡大図である。図１５では、カメラ２０００の筐体を構成するカメラ本体部２００１のうち、前面部２００２と底面部２００５の構成を示している。
【０１０４】
カメラ本体部２００１の前面部２００２には、カメラ側マウント部２０１０、ロックピン２０２０、ロックレバー２０５０が設けられている。カメラ側マウント部２０１０には実施形態１のレンズユニット９００が取り付け可能である。レンズユニット９００は、実施形態１と同様に、カメラ側マウント部２０１０をレンズ側マウント部９０１に対して相対的に回転されることで取り付けられる。ロックピン２０２０は、レンズ側マウント部９０１に取り付けられたレンズユニット９００に係合して回転を阻止する。ロックレバー２０５０は、後述するレンズリリースボタン２０５１を操作不能にする盗難防止機能を有する。
【０１０５】
ロックピン２０２０は、レンズリリースボタン２０５１と連動し、レンズリリースボタン２０５１が押されると、レンズユニット９００との係合が解除される構成となっている。ユーザは、レンズリリースボタン２０５１を押しながらレンズユニット９００を回転させることでレンズユニット９００をカメラ本体部２００１から取り外すことができる。レンズユニット９００をカメラ本体部２００１に装着し固定する際の動作や、レンズリリースボタン２０５１によりロックピン２０２０の係合を解除してレンズユニット９００を取り外す動作は実施形態１と同様である。
【０１０６】
カメラ本体部２００１の底面部２００５には、三脚または雲台などを取り付けるための器具取付部２０７０と盗難防止スイッチ２０８０が設けられている。器具取付部２０７０は、固定器具のネジ部が螺合されるネジ穴２０７０ａと、固定器具に設けられた突起部が挿入されて固定器具の回転を阻止する回り止め穴２０７０ｂを有する。
【０１０７】
盗難防止スイッチ２０８０は、後述するロックレバー２０５０の第２の位置（レンズロック状態を解除不能な位置）までの回転を許容または規制する操作部材である。
【０１０８】
次に、図１５（ｂ）を参照して、本実施形態のロックレバー２０５０の構成について説明する。
【０１０９】
ロックレバー２０５０は、レンズリリースボタン２０５１を有する回転操作部材である。レンズリリースボタン２０５１は、ロックピン２０２０をレンズロック状態からロック解除状態に移動させる。レンズリリースボタン２０５１はロックレバー２０５１の回転位置に応じて、レンズリリースボタン２０５１の操作が許容される状態と操作できない状態に設定される。
【０１１０】
ロックレバー２０５０は、円盤状のレバー本体部２０５２Ａ、レバー本体部２０５２Ａから相反する方向に延びる第１のレバー部２０５２Ｂ、第２のレバー部２０５２Ｃを有する。第２のレバー部２０５２Ｃの端部にはロック爪２０５３がヒンジ部２０５５により回転可能に軸支されている。ロック爪２０５３は第２のレバー部２０５２Ｃに対してｒ１の方向への回転は許容されるが、ｒ１とは反対のｒ２の方向への回転は禁止されるように支持されている。また、ロック爪２０５３は、板バネ２０５４によりｒ１の方向に回転したときにｒ２の方向へ戻るように常時付勢されている。
【０１１１】
盗難防止スイッチ２０８０は、スライダ２０８１を有し、ロックレバー２０５０の第２の位置への回転を規制または解除する。スライダ２０８１は、底面部２００５の切り欠き部２０８４にスライド可能に収容されている。切り欠き部２０８４はロックレバー２０５０が配置されるカメラ本体部２００１の前面部２００２との境界に隣接して形成された矩形状の溝部である。スライダ２０８１には長手方向の略中央にスライドロックボタン２０８２が設けられ、スライダ２０８１はスライドロックボタン２０８２を押すことでスライド可能となる。また、スライダ２０８１には、スライドレバー部２０８３が設けられ、スライダ２０８１に連動してスライドレバー部２０８３が移動することで、ロックレバー２０５０の回転を規制または許容する。
【０１１２】
ロックレバー２０５０を、後述する第２の位置に回転させるとレンズリリースボタン２０５１が操作できなくなり、レンズユニット９００を取り外すことができなくなる。また、スライダ２０８１は、スライドロックボタン２０８２を押しながらでないとスライドできない構成となっている。具体的な構成は、例えば特開２００４−１１９２８２号公報に記載されている。ただし、本実施形態では、スライダ２０８１の可動範囲の両端（有効位置と無効位置）でスライド不能にロックされる。
【０１１３】
次に、図１６を参照して、本実施形態のロックレバー２０５０により盗難防止機能を設定または解除する動作について説明する。
【０１１４】
図１６（ａ）はカメラ本体部２００１の底面部２００５に固定器具８００を取り付けた状態で、Ｐ２部分を前面部２００２から見た図であり、盗難防止機能を設定する場合の動作を示している。図１６（ｂ）は、カメラ本体部２００１から固定器具８００を取り外し、図１６（ａ）の盗難防止機能を解除する場合の動作を示している。なお、図１６に示す各構成要素は、固定器具８００を除き、図１５と同一の符号を付している。
【０１１５】
図１６（ａ）において、まず、スライダ２０８１を有効位置にスライドさせ、スライドレバー部２０８３を位置ｔ６に移動させる。ロックレバー２０５０が位置ｔ３にあった場合、レンズリリースボタン２０５１を押すことができるように構成されている。ロックレバー２０５０を位置ｔ２を経由して位置ｔ１までｔ４の方向へ回転させると、ロック爪２０５３が固定器具８００に当接しながらヒンジ部２０５５を中心にｒ１の方向に回転して屈曲し、図示のようにロックレバー２０５０は位置ｔ１まで回転可能となる。そして、ロックレバー２０５０が位置ｔ１に到達すると固定器具８００に当接しない状態となり、ロック爪２０５３は板バネ２０５４の付勢力により第２のレバー部２０５２Ｃと一直線となる状態に戻る。この状態からｔ４とは反対のｔ５の方向にロックレバー２０５０を回転させようとしても、ロック爪２０５３は固定器具８００に当接した状態で屈曲することができず回転できないため、ロック状態となる。なお、ロックレバー２０５０が位置ｔ１にある場合、ロックレバー２０５０の内部の機構は、レンズリリースボタン２０５１の操作を不可とし、レンズユニットを取り外すことができないように構成されている。
【０１１６】
次に、図１６（ａ）の状態からカメラ本体部２００１から固定器具８００を取り外し、図１６（ｂ）に示すようにスライダ２０８１を有効位置から無効位置にｔ７の方向にスライドさせ、スライドレバー部２０８３を位置ｔ８に移動させる。この場合、スライドレバー部２０８３がロックレバー２０５０の第２のレバー部２０５２Ｃを押すことでロックレバー２０５０をｔ５の方向に回転させるように作用する。固定器具８００が取り付けられていない状態では、ロックレバー２０５０が位置ｔ１から位置ｔ３に回転する間に、ロック爪２０５３は固定器具８００に当接することがない。このため、ロックレバー２０５０がｔ５の方向に回転可能となり、ロックレバー２０５０は位置ｔ３に固定される。なお、スライダ２０８１は無効位置でロックされるので、不用意にロックレバー２０５０が動いてしまうことはない。
【０１１７】
次に、図１９を参照して、実施形態２，３の盗難防止機能の設定手順を説明する。
【０１１８】
Ｓ２１では、盗難防止スイッチ２０８０を有効位置にスライドさせ、盗難防止機能の設定を有効にする。本実施形態においては、図１６（ｂ）において盗難防止スイッチ２０８０（スライダ２０８１）を図中左方向にスライドさせた際は有効、右方向にスライドさせた際は無効である。有効の場合はＳ２２へ進み、無効の場合はＳ２７でレンズ着脱可能状態となり、レンズリリースボタン２０５１が押せる状態となる。
【０１１９】
Ｓ２２では、カメラ本体部２００１の底面部２００５の器具取付部２０７０に固定器具８００を取り付ける。Ｓ２２で固定器具８００を取り付けた場合はＳ２３へ進み、固定器具８００を取り付けない場合はＳ２７でレンズ着脱可能状態となる。
【０１２０】
Ｓ２３では、カメラ本体部２００１にレンズユニット９００を取り付けてカメラ２０００のセッティングを行う。この状態では、ロックレバー２０５１を第２の位置に回転する前であるので、レンズリリースボタン２０５１を押すことでレンズユニット９００をカメラ本体部２００１から取り外し交換することができる。
【０１２１】
Ｓ２４ではロックレバー２０５０を第２の位置に回転することで、Ｓ２５で盗難防止機能が設定される。図１６（ａ）ではロックレバー２０５０を位置ｔ３から位置ｔ１に回転させることで盗難防止機能が設定される。Ｓ２５で盗難防止機能が設定されると、レンズリリースボタン２０５１が押せない状態となる。また、Ｓ２４でロックレバー２０５０、２１５０を位置ｔ３から位置ｔ１に回転させなかった場合は、Ｓ２７でレンズリリースボタン２０５１を押すことができるレンズ脱着可能状態となる。
【０１２２】
Ｓ２６では、カメラ本体部２００１から固定器具８００を取り外し、底面部２００５の盗難防止スイッチ２０８０を無効位置にした場合はレンズ脱着可能状態となる。また、盗難防止スイッチ２０８０を有効位置にしたままの場合は盗難防止状態が維持される。
【０１２３】
本実施形態においては、盗難防止スイッチ２０８０により盗難防止機能を有効に設定しカメラ本体部２００１に固定器具８００を取り付けた状態であってもロックレバー２０５０を第２の位置に回転しない状態ではレンズユニットの着脱が可能である。その後ロックレバー２０５０を第２の位置に回転させることでレンズリリースボタン２０５１が押せない盗難防止状態に設定され、レンズリリースボタン２０５１の操作が不能となる。
【０１２４】
また、盗難防止機能の設定を解除する場合は、カメラ本体部２００１から固定器具８００を取り外し盗難防止スイッチ２０８０を無効位置にする必要がある。よって、ユーザが不在の場合にカメラから第三者がレンズを外して持ち出すような行為を抑制することが可能となる。
【０１２５】
［実施形態３］次に、実施形態３について説明する。
【０１２６】
実施形態３では、実施形態１、２と同一の構成には同一の符号を付し、対応する構成または異なる構成に２１００または２２００番台の符号を付して説明する。
【０１２７】
本実施形態の撮像装置２０００は、実施形態１と同様にレンズ交換式のカメラである。
【０１２８】
図１７（ａ）は実施形態３の撮像装置２０００を前面部２００２を上方に向けた状態で構成を簡略化して示す斜視図であり、図１７（ｂ）は図１７（ａ）のＰ３部分の拡大図である。図１７では、カメラ２０００の筐体を構成するカメラ本体部２００１のうち、前面部２００２と底面部２００５の構成を示している。
【０１２９】
図１７に示すように、本実施形態では、ロックレバー２１５０の第１のレバー部２１５２Ａがカメラ本体部２００１の前面部２００２、盗難防止スイッチ２１８０がカメラ本体部２００１の底面部２００５にそれぞれ設けられている。また、カメラ本体部２００１の内部にロックレバー２１５０の第２のレバー部２１５２Ａと、ロックレバー２１５０と盗難防止スイッチ２１８０を連動させる後述するリンク機構２２００が設けられている。盗難防止スイッチ２１８０は、底面部２００５における器具取付部２０７０の近傍に設けられ、カメラ本体部２００１に固定器具８００が取り付けられた状態では、外部からの操作ができないように遮蔽された状態となる。
【０１３０】
カメラ本体部２００１の底面部２００５には、スライドスイッチ２１８０のスライダ２１８１をスライド可能に収容するスライド凹部２１８４が設けられている。また、底面部２００５には、スライダ２１８１のスライドレバー部２１８３および第２のレバー部２１５２Ｂのロック爪２１５３が底面部２００５から外部に露出可能に移動する開口部２１８５が設けられている。
【０１３１】
レンズユニット９００をカメラ本体部２００１に装着し固定する際の動作や、レンズリリースボタン２１５１によりロックピン２０２０の係合を解除してレンズユニット９００を取り外す動作は実施形態２と同様である。
【０１３２】
本実施形態のロックレバー２１５０は、実施形態２に対して、第１のレバー部２１５２Ａと第２のレバー部２１５２Ｂが分離した構成となっている。第１のレバー部２１５２Ａはユーザによる回転操作が可能であり、第２のレバー部２１５２Ｂは、後述するリンク機構２２００により第１のレバー部２１５２Ａに連動して回転可能である。
【０１３３】
次に、図１８を参照して、リンク機構２２００について説明する。
【０１３４】
図１８において、リンク機構２２００は、第２のレバー部２１５２Ｂを回転可能に支持すると共に、第１のレバー部２１５２Ａと第２のレバー部２１５２Ｂを連結するリンク部材２２０１を揺動可能に支持するシャシー２２０２を有する。リンク部材２２０１は長尺のプレートの両端が直角に折れ曲げられたコの字状の外形を有し、その長手方向の中央部が台座２２０３および止め輪２２０４により回転軸２２０５を中心として回転自在にシャシー２２０２に支持されている。
【０１３５】
リンク部材２２０１は、両端部の折り曲げられた起立部２２０１ａ、各起立部２２０１ａに形成された凹状に切り欠かれた溝部２２０１ｂを有する。
【０１３６】
また、シャシー２２０２の両端部には円盤状の第１の回転部材２２０６および第２の回転部材２２０７が止め輪２２０８により回転自在に支持されている。各回転部材２２０６、２２０７の一側面にはピン状の連結部材２２０９が突設され、連結部材２２０９がリンク部材２２０１の起立部２２０１ａの溝部２２０１ｂに係合することで、各回転部材２２０６、２２０７とリンク部材２２０１とが接続される。
【０１３７】
第１の回転部材２２０６には、第１のレバー部２１５２Ａが一体回転可能に固定され、第２の回転部材２２０７には、止め輪２２１０により第２のレバー部２１５２Ｂが一体回転可能に固定されている。
【０１３８】
第１の回転部材２２０６には断面長円形状の回転軸２２１１が一体回転可能に固定され、回転軸２２１１の外周にはロックピン２０２０のアーム部２０２１が一体回転可能に固着されている。ロックピン２０２０は、圧縮コイルバネ２０２２により上面部から突出する方向に常時バネ力が作用するように付勢されている、圧縮コイルバネ２０２２は、一端がカメラ側マウントリング２０１１に保持され、他端がロックピン２０２０の下端部に当接している。
【０１３９】
また、回転軸２２１１の端部にはレンズリリースボタンユニット２２１２が接続されている。レンズリリースボタンユニット２２１２は、ナットなどの締結部材２２１３によりカメラ本体部２００１の前面部２００２に固定されている。レンズリリースボタンユニット２２１２は、ロックレバー２１５０の第１のレバー部２１５２Ａを回転自在に支持すると共に、第１のレバー部２１５２Ａに対して相対的にレンズリリースボタン２１５１を図中上下方向に移動可能に支持する。レンズリリースボタン２１５１はレンズリリースボタンユニット２２１２を介して回転軸２２１１の端部に接続され、レンズリリースボタン２１５１が押されると、レンズリリースボタン２１５１が回転軸２２１１を押し下げる。すると、回転軸２２１１に固定されたロックピン２０２０のアーム部２０２１が押し下げられ、ロックピン２０２０が圧縮コイルバネ２０２２のバネ力に抗して押し下げられる。これにより、レンズリリースボタン２１５１がｔ１３の方向に押されると、回転軸２２１１がｔ１２の方向に、アーム部２０２１がｔ１５の方向に、ロックピン２０２０がｔ１４の方向に下降する。
【０１４０】
また、ロックレバー２１５０の第１のレバー部２１５２Ａが回転されると、回転軸２２１１が連れ回りして第１の回転部材２２０６が回転する。これにより、連結部材２２０９がｔ９の方向に回転し、連結部材２２０９が溝部２２０１ｂに係合しているリンク部材２２０１をｔ１１の方向に揺動回転させる。そして、リンク部材２２０１が揺動回転することで、リンク部材２２０１の第１の回転部材２２０６とは反対側の端部の溝部２２０１ｂに係合している連結部材２２０９を介して第２の回転部材２２０７がｔ１０の方向に回転される。これにより、第２の回転部材２２０７と一体回転する第２のレバー部２１５２Ｂがｔ１０の方向に回転される。
【０１４１】
本実施形態のロックレバー２１５０により盗難防止機能を設定または解除する動作は、実施形態２のロックレバー２０５０と同様であり、第１のレバー部２１５Ａと第２のレバー部２１５２Ｂが一体的に回転するか、リンク機構２２００により連動するかの違いだけである。また、盗難防止機能の設定手順は、実施形態２の図１９と同一である。
【０１４２】
本実施形態においては、実施形態２と比較して、盗難防止スイッチ２１８０およびロックレバー２１５０の第２のレバー部２１５２Ｂのロック爪２１５３を器具取付部２０７０の近傍に配置できる。このため、固定器具の取付面のサイズが小さい場合であっても盗難防止スイッチ２１８０を遮蔽しつつロックレバー２１５０のロック爪２１５３を固定器具に当接させながら移動させて盗難防止機能を設定することが可能となる。
【０１４３】
［実施形態４］次に、実施形態４について説明する。
【０１４４】
実施形態４では、実施形態１、２、３と同一の構成には同一の符号を付し、対応する構成または異なる構成に３０００番台の符号を付して説明する。
【０１４５】
本実施形態の撮像装置３０００は、実施形態１と同様にレンズ交換式のカメラである。
【０１４６】
図２０（ａ）は実施形態４の撮像装置３０００を前面部３００２を上方に向けた状態で構成を簡略化して示す斜視図であり、図２０（ｂ）は図２０（ａ）のＰ４部分の拡大図である。図２０では、カメラ３０００の筐体を構成するカメラ本体部３００１のうち、前面部３００２と底面部３００５の構成を示している。
【０１４７】
図２０に示すように、本実施形態では、実施形態２、３の回転式のロックレバー２０５０、２１５０に代えて、スライド式のロックレバー３０５０がカメラ本体部３００１の正面部３００２が設けられている。また、盗難防止スイッチ３０８がカメラ本体部３００１の底面部３００５に設けられ、カメラ本体部３００１の内部にロックレバー３０５０と盗難防止スイッチ３０８０を連動させる後述するリンク機構３３００が設けられている。
【０１４８】
本実施形態のロックレバー３０５０は、レンズリリースボタン３０５１とカバー部３０５２とベース部３０５３とを有する。カバー部３０５２の上下方向／Ｙ方向の両側の内側面には左右方向／Ｘ方向に延びる凸形状部３０５２ａが形成され、ベース部３０５３の上下方向／Ｙ方向の両側の外側面には左右方向／Ｘ方向に延びる凹形状部３０５３ａが形成されている。そして、カバー部３０５２の凸形状部３０５２ａがベース部３０５３の凹形状部３０５３ａに係合してカバー部３０５２がベース部３０５３に対してスライド可能に構成される。ベース部３０５３の一端部にレンズリリースボタン３０５１が設けられ、カバー部３０５２をスライドさせることでレンズリリースボタン３０５１を外部からの操作できない遮蔽された状態と、外部からの操作が可能な露出された状態とに切り替える可能である。カバー部３０５２にはピン状の連動部材３０５４がカバー部３０５２と一体的に動作可能に後側／−Ｚ方向に延設され、ベース部３０５３にはカバー部３０５２の連動部材３０５４が貫通する長孔３０５５が左右方向／Ｘ方向に延設されている。
【０１４９】
盗難防止スイッチ３０８０は、カメラ本体部３００１の底面部３００５における器具取付部３０７０の近傍に設けられ、カメラ本体部３００１に固定器具８００が取り付けられた状態では、外部からの操作ができないように遮蔽された状態となる。盗難防止スイッチ３０８０は、底面部３００５に形成されたスライド凹部３０８４に沿って、スライダ３０８１が前後方向／Ｚ方向に移動可能であり、前側／＋Ｚ方向の端部を無効位置、後側／−Ｚ方向の端部を有効位置として切り替えが可能である。スライダ３０８１にはスライドロックボタン３０８２が設けられ、スライダ３０８１はスライドロックボタン３０８２を押すことでスライド可能となる。
【０１５０】
レンズユニット９００をカメラ本体部３００１に装着し固定する際の動作や、レンズリリースボタン３０５１によりロックピン３０２０の係合を解除してレンズユニット９００を取り外す動作は実施形態１と同様である。
【０１５１】
次に、図２１を参照して、本実施形態のリンク機構３３００の構成について説明する。
【０１５２】
図２１において、リンク機構３３００は、第１のリンク部材３３０１、ロック部材３３０９、第２のリンク部材３３１５、これらを支持するシャシー３３０２を有する。
【０１５３】
第１のリンク部材３３０１、ロック部材３３０９および第２のリンク部材３３１５は、ロックレバー３０５０のカバー部３０５２を盗難防止スイッチ３０８０に連動してロックまたはアンロックさせる。
【０１５４】
第１のリンク部材３３０１は長尺のプレートの一端が直角に折れ曲げられたＬ字状の外形を有し、その長手方向の中央部が台座３３０３および止め輪３３０４により回転軸３３０５を中心として回転自在にシャシー３３０２に支持されている。第１のリンク部材３３０１は、盗難防止スイッチ３０８０に連動してスライド可能にシャシー３３０２に支持されている。
【０１５５】
ロックレバー３０５０のレンズリリースボタン３０５１は、圧縮コイルバネ３０５６により前面部３００２から突出する方向に常時バネ力が作用するように付勢されている。圧縮コイルバネ３０５６は、ベース部３０５３の凹部３０５３ａとレンズリリースボタン３０５１の段差部３０５１ａとの間に介装されている。レンズリリースボタン３０５１はロックピン３０２０と一体的に動作可能にアーム部３０２１により接続されている。アーム部３０２１の一端部３０２１ａはレンズリリースボタン３０５１の下端部３０５１ｂにビスなどの固定部材３０５７で固定され、アーム部３０２１の他端部３０２１ｂがロックピン３０２０に固定されている。ロックピン３０２０は、圧縮コイルバネ３０２２により前面部３００２から突出する方向に常時バネ力が作用するように付勢されている。圧縮コイルバネ３０２２は、カメラ側マウントリング３０１１とロックピン３０２０が接続されたアーム部３０２１との間に介装されている。
【０１５６】
第１のリンク部材３３０１は、一端部の折り曲げられた起立部３３０１ａ、起立部３３０１ａｂに形成された凹状に切り欠かれた溝部３３０１ｂを有する。ロックレバー３０５０のカバー部３０５２の連結部材３０５４が第１のリンク部材３３０１の起立部３３０１ａの溝部３３０１ｂに係合することで、ロックレバー３０５０のカバー部３０５２と第１のリンク部材３３０１とが接続される。また、第１のリンク部材３３０１とシャシー３３０２との間に引っ張りコイルバネ３３０３が介装されている。引っ張りコイルバネ３３０６は第１のリンク部材３３０１がロックレバー３０５０のカバー部３０５２をレンズリリースボタン３０５１を露出させる方向に移動させるように第１のリンク部材３３０１に常時バネ力を作用させるように付勢している。引っ張りコイルバネ３３０６は、第１のリンク部材３３０１のバネ固定ピン３３０７とシャシー３３０２のバネ固定ピン３３０８に掛けられている。
【０１５７】
ロック部材３３０９はＬ字状の外形を有し、Ｌ字状の腕部の１つには長孔３３１０が形成され、腕部のもう１つにはガイド面３３０９ａと段差面３３０９ｂが隣接して形成されている。長孔３３０１はシャシー３３０２に設けられたガイドピン３３１１に係合した状態で脱落しないように止め輪３３１２により保持されている。ロック部材３３０９とシャシー３３０２との間に圧縮コイルバネ３３１３が介装されている。圧縮コイルバネ３３１３はロック部材３３０９のガイド面３３０９ａおよび段差面３３０９ｂが第１のリンク部材３３０１の他端部３３０１ｃに当接して押圧するようなバネ力が常時作用するようにロック部材に付勢している。圧縮コイルバネ３３１３は、シャシー３３０２に設けられたバネ軸３３１４により保持されている。
【０１５８】
ロック部材３３０９はガイドピン３３１１および長孔３３１０によりシャシー３３０２に対してｔ２４の方向またはｔ２５の方向にスライド可能である。長孔３３１０はシャシー３０２に設けられたガイドピン３３１１に係合した状態で脱落しないように止め輪３３１２により保持されている。ガイド面３３０９ａは、第１のリンク部材３３０１の他端部３３０１ｃに当接した状態で、第１のリンク部材３３０１の他端部３３０１ｃを段差面３３０９ｂに向けてガイドする。第１のリンク部材３３０１の他端部３３０１ｃが段差面３３０９ｂに係合すると、ロック部材３３０９は圧縮コイルバネ３３１３のバネ力により押されているので、第１のリンク部材３３０１の他端部３３０１ｃが段差面３３０９ｂから外れないようになっている。
【０１５９】
また、ロック部材３３０９は、シャシー３３０２に揺動回転可能に支持された第２のリンク部材３３１５により盗難防止スイッチと連動する。第２のリンク部材３３１５は、回転軸３３１６を中心に回転自在に止め部材３３１７によりシャシー３３０２に支持されている。第２のリンク部材３３１５の一端部はロック部材３３０９のガイド面３３０９ａおよび段差面３３０９ｂが形成された腕部の端部のピン３３１８に回転自在に接続され、他端部が盗難防止スイッチ３０８０のスライダ３０８１に回転自在に接続されている。
【０１６０】
盗難防止スイッチ３０８０は、スライダ３０８１の裏面に操作部材３０８７が設けられている。操作部材３０８７はスライダ３０８１のスライド凹部３０８４に形成されたスライド孔３０８５に連通する溝部３０８６に沿ってスライダ３０８１と一体的に動作する。操作部材３０８７の裏面にはボス部３０８８が突設されており、ボス部３０８８に第２のリンク部材３３１５の他端部が回転自在に接続される。盗難防止スイッチ３０８０のスライダ３０８１が有効位置または無効位置に移動することで、第２のリンク部材３３１５が揺動回転され、ロック部材３３０９をスライドさせる。
【０１６１】
次に、図２１を参照して、本実施形態のロックレバー３０５０により盗難防止機能を設定または解除する動作について説明する。
【０１６２】
盗難防止スイッチ３０８０はスライドロックボタン３０８２を押すことでスライダ３０８１がスライド可能となっているため、有効位置（ｔ２７）または無効位置（ｔ２６）に保持される。ユーザは、盗難防止機能に設定する場合は、スライドロックボタン３０８２を押しながらスライダ３０８１を有効位置（ｔ２７）にスライドさせる。スライダ３０８１は、ロック部材３３０９が圧縮コイルバネ３３１３のｔ２８の方向のバネ力によりｔ２４の方向に移動するように付勢されていることから、スライドロックボタン３０８２を押すと有効位置（ｔ２７）に移動する。ユーザは、盗難防止機能を解除する場合は、スライドロックボタン３０８２を押しながら圧縮コイルバネ３３１３のバネ力に抗してスライダ３０８１を有効位置（ｔ２７）から無効位置（ｔ２６）にスライドさせる。
【０１６３】
盗難防止スイッチ３０８０のスライダ３０８１が無効位置（ｔ２６）にある場合は、ロック部材３３０９が圧縮コイルバネ３３１３のｔ２８の方向のバネ力に抗してｔ２５の方向に押し下げられ点線位置に保持される。このため、第１のリンク部材３３０１はロック部材３３０９のガイド面３３０９ａに当接していない状態となり、ｔ２３の方向に揺動可能である。この状態では、ロックレバー３０５０のカバー部３０５２は引っ張りコイルバネ３３０６のｔ３１の方向のバネ力に引っ張られてボタン開位置（ｔ２２）に付勢されている。また、ロックレバー３０５０のカバー部３０５２は、引っ張りコイルバネ３３０６のｔ３１の方向のバネ力に抗してレンズロック状態を解除可能な開位置（第１の位置）（ｔ２２）とレンズロック状態を解除不能な閉位置（第２の位置）（ｔ２１）の間で移動可能である。
【０１６４】
盗難防止スイッチ３０８０のスライダ３０８１が有効位置（ｔ２７）にあり、ロックレバー３０５０のカバー部３０５２が開位置（ｔ２２）にある場合（盗難防止機能の設定前）は、ロック部材３３０９がｔ２４の方向に移動してガイド面３３０９ａが第１のリンク部材３３０１の他端部３３０１ｃに当接した状態となる。この状態からロックレバー３０５０のカバー部３０５２を閉位置（ｔ２１）に移動させると、連結部材３０５４が第１のリンク部材３３０１をｔ２３の時計方向に押して第１のリンク部材３３０１が時計まわりに回転する。第１のリンク部材３３０１はロック部材３３０９のガイド面３３０９ａに沿って移動して、やがて段差面３３０９ｂに係合する。これにより、第１のリンク部材３３０１は段差面３３０９ｂで反時計まわりには回転できないようにロックされ、ロックレバー３０５０のカバー部３０５２は閉位置（ｔ２１）から開位置（ｔ２２）に移動できなくなる（盗難防止機能の設定後）。盗難防止状態では、盗難防止スイッチ２０８０を無効位置に切り替えないと、ロックレバー３０５０のカバー部３０５２を開位置（ｔ２２）にできず、レンズリリースボタン３０５１を操作することができないので、レンズユニット９００を取り外すことはできない。
【０１６５】
盗難防止機能の設定を解除する場合、つまりロックレバー３０５０のカバー部３０５２を開位置（ｔ２２）に移動可能にする場合は、盗難防止スイッチ２０８０のスライダ２０８１を無効位置（ｔ２６）にスライドさせる。盗難防止スイッチ２０８０のスライダ２０８１が無効位置（ｔ２６）にある場合は、ロック部材３３０９が圧縮コイルバネ３３１３のｔ２８の方向のバネ力に抗してｔ２５の方向に押し下げられ点線位置に保持される。このため、第１のリンク部材３３０１はロック部材３３０９の段差面３３０９ｂから離間しロックが解除された状態となる。この状態では、第１のリンク部材３３０１が引っ張りコイルバネ３３０６のｔ３１の方向のバネ力により引っ張られてｔ２３の反時計方向に回転することでロックレバー３０５０のカバー部３０５２が開位置（ｔ２２）に移動する。盗難防止機能が解除されると、ロックレバー３０５０のカバー部３０５２が開位置（ｔ２２）にあり、レンズリリースボタン３０５１を押すことができるので、レンズユニット９００を取り外すことができるようになる。
【０１６６】
なお、レンズリリースボタン３０５１がｔ２９の方向に押されると、アーム部３０２１を介してロックピン３０２０がｔ３０の方向に沈み、レンズユニット９００の取り外しが可能となる。
【０１６７】
次に、図２２を参照して、本実施形態のロックレバー３０５０により盗難防止機能を設定または解除する手順について説明する。
【０１６８】
図２２のＳ３１からＳ３３およびＳ３５からＳ３７は、図１９のＳ２１からＳ２３およびＳ２５からＳ２７と同様であり、Ｓ３４だけが異なっている。
【０１６９】
Ｓ３４では、ロックレバー３０５０のカバー部３０５２を閉位置（ｔ２１）にすることで盗難防止機能が設定される。
【０１７０】
本実施形態においては、盗難防止スイッチ３０５０を有効位置（ｔ２７）にし、カメラ３０００の底面部３００５に固定器具８００を取り付けた状態であってもロックレバー３０５０を閉位置（ｔ２１）に移動しない状態ではレンズユニットの着脱が可能である。その後ロックレバー３０５０のカバー部３０５２を閉位置（ｔ２１）にすることにより、レンズリリースボタン３０５１が操作できなくなり、盗難防止機能を設定することができる。また、盗難防止機能を解除する場合は、カメラ本体部３００１から固定器具８００を取り外し盗難防止スイッチ３０８０を無効位置（ｔ２６）にする必要がある。よって、ユーザが不在の場合にカメラから第三者がレンズを外して持ち出すような行為に対する抑止力が向上する。
【０１７１】
［実施形態５］次に、実施形態５について説明する。
【０１７２】
実施形態５では、実施形態１と同一の構成には同一の符号を付し、対応する構成または異なる構成に４０００番台の符号を付して説明する。
【０１７３】
本実施形態の撮像装置４０００は、実施形態１と同様にレンズ交換式のカメラである。
【０１７４】
まず、図２３（ａ）、（ｂ）を参照して、本実施形態の撮像装置４０００の外観構成について説明する。
【０１７５】
本実施形態の撮像装置４０００は、例えば、レンズユニット９００が着脱可能なレンズ交換式のカメラである。カメラ４０００の筐体を構成するカメラ本体部４００１は、前面部４００２、背面部４００３、上面部４００４、底面部４００５、右側面部４００６、左側面部４００７を備える。
【０１７６】
カメラ本体部４００１には、レンズマウント部４１２０、レンズリリースボタンユニット４１３０、第１の器具取付部４１４０、第２の器具取付部４１５０、盗難防止設定ボタン４１６０、盗難防止解除ボタン４１７０が設けられている。第１の器具取付部４１４０は、カメラ本体部４００１に三脚や雲台などを取り付けるために設けられている。第２の器具取付部４１５０は、カメラ本体部４００１をカメラリグなどに取り付けるために設けられている。
【０１７７】
カメラ４０００は、前面部４１０１に備えられたレンズマウント部４１２０、レンズリリースボタンユニット４１３０によってレンズユニット９００をカメラ本体部４００１に対して着脱可能である。
【０１７８】
上面部４００４には第１の器具取付部４１４０が設けられている。底面部４００５には第２の器具取付部４１５０と盗難防止解除ボタン４１７０が設けられている。右側面部４００６には盗難防止設定ボタン４１６０が設けられている。
【０１７９】
次に、図２３（ｃ）を参照して、実施形態５の撮像装置４０００の盗難防止機能を実現する電気的な構成について説明する。
【０１８０】
撮像装置４０００は、メイン基板４２００、イメージセンサ基板４３００、カメラ側通信部１５００、モータ４１３３、盗難防止設定ボタン４１６０、盗難防止解除ボタン４１７０を含む。
【０１８１】
メイン基板４２００には、ＣＰＵ４２１０、ＧＰＵ４２２０、コネクタ４２３１、４２３２、４２３３、４２３４が実装されている。
【０１８２】
ＣＰＵ４２１０は、イメージセンサ基板４３００の撮像動作や画像をメモリカードなどの記録媒体に記録する動作、記録媒体から画像を再生する動作などのカメラ４０００の全体の動作を制御するプロセッサである。
【０１８３】
ＧＰＵ４２２０は、イメージセンサ基板４３００により得られた画像信号に対して色味の補正やコントラストの調整などの各種画像処理を行うプロセッサである。
【０１８４】
コネクタ４２３１、４２３２、４２３３、４２３４はケーブル接続可能となっており、カメラ４０００の各構成要素と電気的に接続される。
【０１８５】
カメラ側通信部１５００は、レンズマウント部４１２０の内部に設けられている。カメラ側通信部１５００は、レンズユニット９００に設けられたレンズ側通信部（図示せず）と接触することで電気的に接続され、レンズユニット９００と通信可能である。ＣＰＵ４２１０は、カメラ側通信部１５００を介してレンズユニット９００と通信可能となったことで、レンズユニット９００がレンズマウント４１２０に装着されたことを検出する。
【０１８６】
センサ基板４３００には、ＣＭＯＳなどのイメージセンサ４３１０、コネクタ４３２０、４３３０が実装されている。
【０１８７】
イメージセンサ４３１０は、レンズユニット９００を透過してきた光を電気信号へと変換し画像信号を生成する。コネクタ４３２０はセンサ基板４３００とメイン基板４２００を電気的に接続する。イメージセンサ４３１０により生成された画像信号はコネクタ４３２０を介してメイン基板４２００に実装されているＧＰＵ４２２０へ伝達され、画像処理が施される。
【０１８８】
コネクタ４３３０はセンサ基板４３００とカメラ側通信部１５００とを電気的に接続する。カメラ側通信部１５００を介してレンズユニット９００から受信した信号はコネクタ４３３０を介してセンサ基板４３００に出力され、コネクタ４３２０を介してメイン基板４２００のＣＰＵ４２１０へ出力される。反対に、ＣＰＵ４２１０はカメラ側通信部１５００を介してレンズユニット９００に信号を出力し、レンズユニット９００を制御することが可能となっている。
【０１８９】
モータ４１３３はコネクタ４２３４と電気的に接続されており、ＣＰＵ４２１０によって制御される。モータ４１３３は出力軸４１３３ａを備え、出力軸４１３３ａはＣＰＵ４２１０から出力される制御信号によって回転制御される。モータ４１３３はレンズユニットの盗難防止機能の設定／解除に係る動作を行う。詳細は後述する。
【０１９０】
盗難防止設定ボタン４１６０には、ボタン部４１６１、コネクタ４１６２が実装されている。
【０１９１】
ボタン部４１６１は、カメラ４０００から筐体の外面に露出し、ユーザが操作可能である。ボタン部４１６１は、ユーザ操作に応じて操作信号を発生し、コネクタ４２３２を介してメイン基板４２００に出力する。コネクタ４１６２はコネクタ４２３２と電気的に接続され、ボタン部４１６１で発生した操作信号はコネクタ４１６２を介してメイン基板４２００に実装されているＣＰＵ４２１０に伝達され、ＣＰＵ４２１０はボタン部４１６１が押下されたか否かを検出する。
【０１９２】
盗難防止解除ボタン４１７０には、ボタン部４１７１、コネクタ４１７２が実装されている。ボタン部４１７１およびコネクタ４１７２の機能はボタン部４１６１およびコネクタ４１６２とそれぞれ同じであるため、説明は省略する。
【０１９３】
次に、図２４および図２５を参照して、レンズリリースボタンユニット４１３０の構成について説明する。
【０１９４】
レンズリリースボタンユニット４１３０は、圧縮コイルバネ４１３１、モータケース４１３２、モータ４１３３、モータ付勢部材４１３４、ブレード４１３５、押下部４１３６、ビス４１３７を備える。
【０１９５】
圧縮コイルバネ４１３１は、レンズリリースボタンユニット４１３０をユーザが押下するときに、所定の押圧力で所定のストロークを移動させるために設けられている。
【０１９６】
モータケース４１３２は、モータ４１３３、モータ付勢部材４１３４、ブレード４１３５を収納するシャシーである。
【０１９７】
格納部４１３２ａに、モータ付勢部材４１３４、ブレード４１３５を取り付けたモータ４１３３が格納される。
【０１９８】
バネ取付部４１３２ｂは格納部４１３２ａの外周部に対応し、圧縮コイルバネ４１３１が外装される。
【０１９９】
ビス下穴４１３２ｃはレンズリリースボタンユニット４１３０を組み立てる際に、ビス４１３７がねじ込まれる。
【０２００】
モータ４１３３は出力軸４１３３ａを有し、出力軸４１３３ａにはブレード４１３５が圧入されている。
【０２０１】
モータ付勢部材４１３４は、モータ４１３３を格納部４１３２ａの底面に押し付け固定する。また、ブレード４１３５がモータケース４１３２および押下部４１３６と接触しないようクリアランスを確保している。
【０２０２】
ブレード４１３５はモータケース４１３２と押下部４１３６との間に配置される。ブレード４１３５は、モータ４１３３により回動してレンズリリースボタンユニット４１３０を操作可能または操作不能な状態に切り替える。
【０２０３】
圧入穴４１３５ａに出力軸４１３３ａが圧入されることで、モータ４１３３に取り付けられる。
【０２０４】
出力軸４１３３ａがＣＰＵ４２１０によって回転制御されることによって、ブレード４１３５も回転する。
【０２０５】
押下部４１３６は、レンズリリースボタンユニット４１３０の操作部に対応する。ユーザは押下部４１３６を押下することでレンズリリースボタンユニット４１３０を操作し、レンズユニット９００をカメラ４０００から取り外すことが可能である。
【０２０６】
押下部４１３６にはビス穴４１３６ａが設けられており、レンズリリースボタンユニット４１３０を組み立てる際にビス４１３７が通過する穴である。
【０２０７】
ビス４１３７は、レンズリリースボタンユニット４１３０を組み立てる際に押下部４１３６側からビス穴４１３６ａを通し、ビス下穴４１３２ｃにねじ込まれて、押下部４１３６とモータケース４１３２を締結する。
【０２０８】
次に、図２５を参照して、レンズリリースボタンユニット４１３０の周辺の構成について説明する。
【０２０９】
レンズマウント部４１２０には、ロックピン４１２１、圧縮コイルバネ４１２２、作用部４１２３、マウントリング４１２４が設けられている。レンズマウント部４１２０およびロックピン４１２１、圧縮コイルバネ４１２２、作用部４１２３、マウントリング４１２４の機能は、実施形態１のカメラ側マウント部１０１０、ロックピン１０２０、圧縮コイルバネ１０２３、作用部１０５２、カメラ側マウントリング１０１２と同様である。
【０２１０】
相違点として、ロックピン４１２１は作用部４１２３に直接取り付けられており、部品点数の削減と小型化が図られている。
【０２１１】
カメラ４０００の前面部４００２の内部にはフロントベース４１１０が設けられている。フロントベース４１１０には、リリースボタン格納部４１１１、バネ格納部４１１２、当て面４１１３が格納されている。リリースボタン格納部４１１１にレンズリリースボタンユニット４１３０が、バネ格納部４１１２に圧縮コイルバネ４１２２がそれぞれ格納される。当て面４１１３はブレード４１３５と共に盗難防止機能を持つ。
【０２１２】
次に、レンズユニット９００を着脱する際のレンズリリースボタンユニット４１３０の動作について説明する。
【０２１３】
レンズユニット９００をカメラ本体部４００１に装着し固定する際のロックピン４１２１、圧縮コイルバネ４１２２、作用部４１２３の動きは、実施形態１のレンズロック機構１２００と同様である。
【０２１４】
図２５（ａ）はレンズユニット９００がカメラ本体部４００１に固定されている状態のレンズマウント部４１２０およびレンズリリースボタンユニット４１３０の状態を示している。
【０２１５】
レンズリリースボタンユニット４１３０は圧縮コイルバネ４１３１によって、前側／＋Ｚ方向に付勢されている。また、ロックピン４１２１は、圧縮コイルバネ４１２２によって作用部４１２３を介して前側／＋Ｚ方向に付勢されており、マウントリング４１２４から突出している。これにより、レンズロック機構１２００と同様の装着状態が実現される。
【０２１６】
図２５（ｂ）はレンズユニット９００をカメラ本体部４００１から取り外す際のレンズマウント部４１２０およびレンズリリースボタンユニット４１３０の状態を示している。
【０２１７】
ユーザ操作により押下部４１３６が後側／−Ｚ方向に押下すると、レンズリリースボタンユニット４１３０が後側／−Ｚ方向に移動する。その場合、ブレード４１３５が作用部４１２３を後側／−Ｚ方向に押し下げ、作用部４１２３に取り付けられているロックピン４１２１が後側／−Ｚ方向に押し下げられ、ロックピン４１２１がマウントリング４１２４よりも沈んだ位置まで下降する。これにより、レンズユニット９００とロックピン４１２１との係合状態が解除され、レンズロック機構１２００と同様にレンズユニット９００をカメラ本体部４００１から取り外すことが可能となる。
【０２１８】
次に、図２５および図２６を参照して、盗難防止機能の設定／解除に係るレンズリリースボタンユニット４１３０の動作について説明する。
【０２１９】
なお、図２５（ａ）および図２６（ａ）は、前面部４００２のレンズリリースボタンユニット４１３０の周辺部分を切り欠いて示しており、押下部４１３６とビス４１３７は図示されていない。
【０２２０】
盗難防止機能が設定された状態では、ブレード４１３５が作用部４１２３と当て面４１１３に前後方向／Ｚ方向で当接している。そのため、ブレード４１３５が当て面４１１３と干渉するので、ロックピン４１２１がマウントリング４１２４よりも沈んだ位置までレンズリリースボタンユニット４１３０を前後方向／Ｚ方向に押し込むことができない。これにより、ユーザ操作によってレンズユニット９００をカメラ本体部４００１から取り外することができなくなる。
【０２２１】
盗難防止機能が解除された状態では、ブレード４１３５が作用部４１２３にのみ当接しているため、レンズリリースボタンユニット４１３０をロックピン４１２１がマウントリング４１２４よりも沈んだ位置まで下げることが可能となる。よって、ユーザ操作によってレンズユニット９００をカメラ本体部４００１から取り外すことが可能となる。
【０２２２】
ブレード４１３５はモータ４１３３の出力軸４１３３ａに取り付けられているため、モータ４１３３が動作することによってＺ軸まわりに回転可能である。そして、カメラ本体４００１に内蔵されているメイン基板４２００によってモータ４１３３を制御することによって、上述した盗難防止機能の設定／解除を切り替えることが可能である。
【０２２３】
また、ブレード４１３５は、盗難防止機能の設定／解除にかかわらず、作用部４１２３に常に当接している状態であるので、ブレード４１３５が作用部４１２３から外れてレンズユニット９００が取り外せなくなるのを防止している。
【０２２４】
次に、図２７および図２８を参照して、本実施形態の盗難防止機能の設定処理４４００及び解除処理４５００について説明する。
【０２２５】
図２７（ａ）は、本実施形態において盗難防止機能を設定するときの処理４４００を示している。なお、図２７（ａ）の処理手順は、ＣＰＵ４２１０が実行する制御プログラムにより実現され、カメラ本体部４００１の電源がオンされている状態で起動する。
【０２２６】
Ｓ４１では、ＣＰＵ４２１０はレンズユニット９００が装着されているか判定し、装着されていると判定した場合はＳ４２に進み、装着されていないと判定した場合は処理を終了する。ＣＰＵ４２１０は、カメラ側通信部１５００を介してレンズユニット９００からの信号入力の有無に基づいてレンズユニット９００が装着されているか判定する。
【０２２７】
Ｓ４２では、ＣＰＵ４２１０は盗難防止設定ボタン４１６０が押されたか判定し、押されたと判定した場合はＳ４３に進み、押されていないと判定した場合は処理を終了する。
【０２２８】
Ｓ４３では、ＣＰＵ４２１０は、モータ４１３３を制御し、ブレード４１３５が当て面４１１３と重なる位置（図２６の状態）まで回転させる。
【０２２９】
ステップ４４では、ＣＰＵ４２１０は盗難防止設定フラグをセットして、処理を終了する。
【０２３０】
図２７（ｂ）は、本実施形態において盗難防止機能を解除するときの処理４５００を示している。なお、図２７（ｂ）の処理手順は、ＣＰＵ４２１０が実行する制御プログラムにより実現され、カメラ本体部４００１の電源がオンされている状態で起動する。
【０２３１】
Ｓ４５では、ＣＰＵ４２１０は盗難防止設定フラグがセットされているか判定し、セットされていると判定した場合はＳ４６に進み、セットされていないと判定した場合は処理を終了する。
【０２３２】
Ｓ４６では、ＣＰＵ４２０１は盗難防止解除ボタン４１７０が押されたか判定し、押されたと判定した場合はＳ４７に進み、押されていないと判定した場合は処理を終了する。
【０２３３】
Ｓ４７では、ＣＰＵ４２０１は、モータ４１３３を制御し、ブレード４１３５が当て面４１１３と重ならない位置（図２７の状態）まで回転させる。
【０２３４】
Ｓ４８では、ＣＰＵ４２０１は盗難防止設定フラグをリセットして、処理を終了する。
【０２３５】
本実施形態においては、ユーザはレンズユニット９００をカメラ本体部４００１に装着した状態であっても盗難防止設定ボタン４１６０を押す前ではレンズユニットの着脱が可能である。その後盗難防止設定ボタン４１６０を押すことにより、レンズリリースボタンユニット４１３０が操作できなくなり、盗難防止機能を設定することができる。また、盗難防止機能を解除する場合は、カメラ本体部４００１から固定器具８００を取り外し盗難防止解除ボタン４１７０を押す必要がある。よって、ユーザが不在の場合にカメラから第三者がレンズを外して持ち出すような行為に対する抑止力が向上する。
【０２３６】
なお、本実施形態は、本発明の趣旨を逸脱しない範囲で各種の変更、変形が可能である。
【０２３７】
例えば、盗難防止設定ボタン４１６０を不図示の撮影開始ボタンなどの別の機能を有するボタンと併用してもよい。
【０２３８】
また、盗難防止設定ボタン４１６０の代わりに不図示の近接センサを底面部４００５に設け、近接センサが検知した場合に盗難防止機能を設定する構成でもよい。
【０２３９】
［実施形態６］次に、実施形態６について説明する。
【０２４０】
実施形態５では、実施形態５と同一の構成には同一の符号を付し、対応する構成または異なる構成に５０００番台の符号を付して説明する。
【０２４１】
本実施形態の撮像装置５０００は、実施形態５と同様にレンズ交換式のカメラである。
【０２４２】
まず、図２８を参照して、本実施形態の撮像装置５０００の外観構成について説明する。
【０２４３】
本実施形態の撮像装置５０００が、実施形態５のカメラ４０００と異なる点は、カメラ本体部５００１の背面部５００３に表示部５１６０が設けられ、右側面部５００６に盗難防止設定ボタン４１６０が設けられていないところである。その他の構成は、実施形態４の撮像装置４０００と同様であるので、図２３と同じ符号を付して説明を省略する。
【０２４４】
次に、図２９を参照して、本実施形態の撮像装置５０００の機能ブロック構成について説明する。
【０２４５】
本実施形態の撮像装置５０００が、実施形態５のカメラ４０００と異なる点は、メイン基板４２００に表示パネル５１６１を接続するためのコネクタ５２３１が実装されている一方、盗難防止設定ボタン４１６０を接続するためのコネクタ４１３２が実装されていないところである。コネクタ５２３１には表示パネル５１６１のフレキシブル基板が接続可能である。
【０２４６】
表示パネル５１６１は液晶パネルなどであり、表示部５１６０と一体化されており、コネクタ５２３１を介してメイン基板５２００と接続される。表示パネル５１６１はユーザの指やペンによるタッチ操作を検知できる液晶のタッチパネルが搭載されており、表示パネル５１６１で表示する画像やユーザからの操作信号はＣＰＵ４２１０にて処理される。本実施形態では、盗難防止設定ボタン４１６０に代えて、表示部５１６０のタッチパネルを操作することで盗難防止設定を行う。
【０２４７】
次に、図３０を参照して、本実施形態の盗難防止機能の設定処理５４００について説明する。
【０２４８】
図３０（ａ）は、本実施形態において盗難防止機能を設定するときの処理５４００を示している。なお、図３０（ａ）の処理手順は、ＣＰＵ４２１０が実行する制御プログラムにより実現され、カメラ本体部５００１の電源がオンされている状態で起動する。
【０２４９】
図３０（ａ）はレンズユニット９００をカメラ５０００にロックするときの動作フローを示している。
【０２５０】
Ｓ５１では、ＣＰＵ４２１０はレンズユニット９００が装着されているか判定し、装着されていると判定した場合はＳ５２に進み、装着されていないと判定した場合は処理を終了する。ＣＰＵ４２０１は、カメラ側通信部１５００を介してレンズユニット９００からの信号入力の有無に基づいてレンズユニット９００が装着されているか判定する。
【０２５１】
Ｓ５２では、ＣＰＵ４２１０は表示部５１６０に図３０（ｂ）に示すガイダンス画面５１６２を表示する。ガイダンス画面５１６２には、レンズユニットが装着されたこと、盗難防止機能の設定を行うか否をユーザに問い合わせるためのメッセージが表示される。ユーザは、ガイダンス画面５１６２に表示された選択肢５１６２ａ、５１６２ｂのいずれかを選択可能である。はいの選択肢５１６２ａを選択した場合は盗難防止機能の設定がなされ、いいえの選択肢５１６２ｂを選択した場合は盗難防止機能の設定がなされない。
【０２５２】
Ｓ５３では、ＣＰＵ４２０１は、はいの選択肢５１６２ａが選択されたか、いいえの選択肢５１６２ｂを選択されたかを判定し、はいの選択肢５１６２ａが選択された場合はＳ５４に進み、いいえの選択肢５１６２ｂが選択された場合は処理を終了する。
【０２５３】
Ｓ５４では、ＣＰＵ４２１０は、モータ４１３３を制御し、ブレード４１３５が当て面４１１３と重なる位置（図２６の状態）まで回転させる。
【０２５４】
ステップ５５では、ＣＰＵ４２１０は盗難防止設定フラグをセットして、処理を終了する。
【０２５５】
なお、盗難防止機能の解除は、実施形態５の図２７（ｂ）の処理４５００と同様に、盗難防止解除ボタン４１７０を操作して行われる。
【０２５６】
本実施形態においては、ユーザはレンズユニット９００をカメラ本体部５００１に装着した状態であっても表示部５１６０を介して盗難防止機能の設定操作を行う前ではレンズユニットの着脱が可能である。その後表示部５１６０を介して盗難防止機能の設定操作を行うことにより、第三者がレンズリリースボタンユニット４１３０を操作できなくなり、盗難防止機能を設定することができる。また、盗難防止機能を解除する場合は、カメラ本体部５００１から固定器具８００を取り外し盗難防止解除ボタン４１７０を押す必要がある。よって、ユーザが不在の場合にカメラから第三者がレンズを外して持ち出すような行為に対する抑止力が向上する。
【０２５７】
また、付随的な効果として、盗難防止設定ボタンを省略し部品を最小限に抑えることが可能であるので、小型化が期待できる。
【０２５８】
なお、本実施形態は、本発明の趣旨を逸脱しない範囲で各種の変更、変形が可能である。
【０２５９】
例えば、ガイダンス画面５１６２を任意に表示できるようユーザで設定できる機能を持たせてもよい。
【０２６０】
また、ガイダンス画面５１６２の選択を行わないと、カメラ５０００の撮影機能の操作が行えないように機能を制限し、盗難防止機能の設定を忘れてしまうことを防ぐこともできる。
【０２６１】
［実施形態７］次に、実施形態７について説明する。
【０２６２】
実施形態７では、実施形態５、６と同一の構成には同一の符号を付し、対応する構成または異なる構成に６０００番台の符号を付して説明する。
【０２６３】
実施形態７では、実施形態５、６と同一の構成には同一の符号を付し、異なる構成に６０００番台の符号を付して示している。
【０２６４】
本実施形態の撮像装置６０００は、実施形態１と同様にレンズ交換式のカメラである。
【０２６５】
まず、図３１および図３２を参照して、本実施形態の撮像装置６０００の外観構成および機能ブロック構成について説明する。
【０２６６】
本実施形態の撮像装置６０００が、実施形態４のカメラ４０００と異なる点は、カメラ本体部６００１の上面部６００１と底面部６００５に盗難防止設定／解除ボタン６１７０、６１８０が設けられ、背面部６００３に表示部５１６０が設けられているところである。その他の構成は、実施形態４の撮像装置４０００と同様であるので、図２３と同じ符号を付して説明を省略する。また、本実施形態の撮像装置６０００が、実施形態４のカメラ４０００と異なる点は、メイン基板４２００に、盗難防止設定／解除ボタン６１７０、６１８０を接続するためのコネクタ６２３１、６２３２が実装されているところである。
【０２６７】
盗難防止設定／解除ボタン６１７０、６１８０には、ボタン部６１７１、６１８１、コネクタ６１７２、６１８２がそれぞれ実装されている。
【０２６８】
ボタン部６１７１、６１８１は、カメラ６０００から筐体の外面に露出し、ユーザが操作可能である。ボタン部６１７１、６１８１は、ユーザ操作に応じて操作信号を発生し、コネクタ６１７２、６１８２を介してメイン基板６２００に出力する。コネクタ６１７２、６１８２はコネクタ６２３１、６２３２と電気的に接続される。ボタン部６１７１、６１８１で発生した操作信号はコネクタ６２３１，６２３２を介してメイン基板６２００に実装されているＣＰＵ４２１０に伝達され、ＣＰＵ４２０１はボタン部６１７１、６１８１が押下されたか否かを検出する。
【０２６９】
表示部５１６０に関する構成や機能は実施形態６の図２８、図２９と同様である。
【０２７０】
次に、図３３を参照して、本実施形態の盗難防止機能の設定処理６４００について説明する。
【０２７１】
図３３（ａ）は、本実施形態の盗難防止状態を設定するときの処理６４００を示している。なお、図３３（ａ）の処理手順は、ＣＰＵ４２１０が実行する制御プログラムにより実現され、カメラ本体部６００１の電源がオンされている状態で起動する。
【０２７２】
図３３（ａ）はレンズユニット９００をカメラ５１００にロックするときの動作フローを示している。
【０２７３】
Ｓ６１では、ＣＰＵ４２１０はレンズユニット９００が装着されているか判定し、装着されていると判定した場合はＳ６２に進み、装着されていないと判定した場合は処理を終了する。ＣＰＵ４２０１は、カメラ側通信部１５００を介してレンズユニット９００からの信号入力の有無に基づいてレンズユニット９００が装着されているか判定する。
【０２７４】
Ｓ６２では、ＣＰＵ４２１０は盗難防止設定ボタン４１６０が押されたか判定し、押されたと判定した場合はＳ６３に進み、押されていないと判定した場合はＳ６７に進む。
【０２７５】
Ｓ６３では、ＣＰＵ４２１０は表示部５１６０に図３３（ｂ）に示すボタン設定画面６１６２を表示する。ボタン設定画面６１６２には、盗難防止機能の設定を行うこと、盗難防止解除ボタンの割り当てユーザに問い合わせるためのメッセージが表示し、ユーザは、ボタン設定画面６１６２に表示された選択肢６１６２ａ、６１６２ｂのいずれかを選択可能である。盗難防止設定／解除ボタン６１７０の選択肢６１６２ａを選択した場合は盗難防止解除ボタンが盗難防止設定／解除ボタン６１７０に設定される。また、盗難防止設定／解除ボタン６１８０の選択肢６１６２ｂを選択した場合は盗難防止解除ボタンが盗難防止設定／解除ボタン６１８０に設定される。
【０２７６】
Ｓ６４では、ＣＰＵ４２０１は、盗難防止設定／解除ボタン６１７０の選択肢６１６２ａが選択されたか、盗難防止設定／解除ボタン６１８０の選択肢６１６２ｂを選択されたかを判定する。選択肢６１６２ａが選択された場合はＳ６５に進み、選択肢６１６２ｂが選択された場合はＳ６６に進む。
【０２７７】
Ｓ６５では、ＣＰＵ４２１０は、盗難防止設定／解除ボタン６１７０を盗難防止解除ボタンに設定する。
【０２７８】
Ｓ６６では、ＣＰＵ４２１０は、盗難防止設定／解除ボタン６１８０を盗難防止解除ボタンに設定する。
【０２７９】
ユーザは、ユーザが自ら盗難防止解除ボタンに設定した盗難防止設定／解除ボタン６１７０または６１８０を操作することで、盗難防止解除を行うことができる。
【０２８０】
Ｓ６７では、ＣＰＵ４２１０は盗難防止設定／解除ボタン６１８０が押されたか判定し、押されたと判定した場合はＳ６５に進み、押されていないと判定した場合はＳ６８に進む。
【０２８１】
Ｓ６８では、ＣＰＵ４２１０は盗難防止設定／解除ボタン６１７０が押されたか判定し、押されたと判定した場合はＳ６６に進み、押されていないと判定した場合はＳ６２に戻る。
【０２８２】
Ｓ６９では、ＣＰＵ４２１０は、モータ４１３３を制御し、ブレード４１３５が当て面４１１３と重なる位置（図２６の状態）まで回転させる。
【０２８３】
ステップ７０では、ＣＰＵ４２１０は盗難防止設定フラグをセットして、処理を終了する。
【０２８４】
なお、盗難防止機能の解除は、実施形態５の図２７（ｂ）の処理４５００と同様に、盗難防止解除ボタン４１７０を操作して行われる。
【０２８５】
本実施形態においては、第２の器具取付部４１５０を用いてカメラ６０００を固定器具に取り付けた場合、ユーザが操作できる盗難防止設定／解除ボタン６１７０を押すことで盗難防止機能設定を行い、固定器具によって隠れた盗難防止設定／解除ボタン６１８０を盗難防止解除ボタンとして設定できる。反対に、第１の器具取付部４１４０を用いてカメラ６０００に固定器具を取り付けた場合、ユーザが操作できる盗難防止設定／解除ボタン６１８０を押すことで盗難防止機能の設定を行い、固定器具に隠れた盗難防止設定／解除ボタン６１７０が盗難防止解除ボタンとして設定できる。
【０２８６】
また、盗難防止設定／解除ボタン６１７０、６１８０を操作できないような状況においても盗難防止設定ボタン４１６０を押すことで盗難防止機能の設定を行い、盗難防止設定／解除ボタン６１７０、６１８０のどちらかを盗難防止解除ボタンに設定できる。
【０２８７】
よって、ユーザが不在の場合にカメラから第三者がレンズを外して持ち出すような行為に対する抑止力が向上する。
【０２８８】
なお、本実施形態は、本発明の趣旨を逸脱しない範囲で各種の変更、変形が可能である。例えば、本発明を実施する撮像装置の一例としては、セキュリティーカメラやネットワークカメラ、ドローンに搭載されたカメラなど、使用者と撮像装置とが互いに離れた状態で使用される形態において、特に有効である。
【０２８９】
また、例えば、盗難防止設定ボタン４１６０により盗難防止機能の設定を行った場合、盗難防止設定／解除ボタン６１７０、６１８０の両方を盗難防止解除ボタンに設定してもよい。
【０２９０】
また、前述した実施形態では、撮像装置が略矩形の筐体を備え、この筐体における所定の面（固定器具を取り付ける面）に、前述した盗難防止スイッチなどを備える例について説明したが、これに限定されるものではない。例えば、撮像装置の形状は矩形に限定されるものでなく、どのような形状を採用してもよい。すなわち、本発明に係る撮像装置の実施形態としては何れの形状を採用してもよく、少なくとも、撮像装置を外部に固定する位置の近傍に、撮像装置に取り付けられたアクセサリのロック状態を解除するための手段を設ける構成であればよい。
【０２９１】
［その他の実施形態］
本実施形態では、交換部品としてレンズユニットを例示して説明したが、これに限らず、カメラに対して着脱可能な部品であればよく、例えばストロボユニットなどでも構わない。
【０２９２】
本発明は、実施形態５から７の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０２９３】
８００…固定器具、９００…レンズユニット、１０００、２０００、３０００、４０００…撮像装置（カメラ）、１０５０、２０５０、２１５０、３０５０、４１３０…レンズリリースボタン、１０７０、２０７０、４１４０、４１５０…器具取付部、１０８０、２０８０、２１８０、３０８０…盗難防止スイッチ、４１６０…盗難防止設定ボタン、４１７０…盗難防止解除ボタン、６１７０、６１８０…盗難防止設定／解除ボタン
【図１】
2020030315.tif 000003
【図２】
2020030315.tif 000004
【図３】
2020030315.tif 000005
【図４】
2020030315.tif 000006
【図５】
2020030315.tif 000007
【図６】
2020030315.tif 000008
【図７】
2020030315.tif 000009
【図８】
2020030315.tif 000010
【図９】
2020030315.tif 000011
【図１０】
2020030315.tif 000012
【図１１】
2020030315.tif 000013
【図１２】
2020030315.tif 000014
【図１３】
2020030315.tif 000015
【図１４】
2020030315.tif 000016
【図１５】
2020030315.tif 000017
【図１６】
2020030315.tif 000018
【図１７】
2020030315.tif 000019
【図１８】
2020030315.tif 000020
【図１９】
2020030315.tif 000021
【図２０】
2020030315.tif 000022
【図２１】
2020030315.tif 000023
【図２２】
2020030315.tif 000024
【図２３】
2020030315.tif 000025
【図２４】
2020030315.tif 000026
【図２５】
2020030315.tif 000027
【図２６】
2020030315.tif 000028
【図２７】
2020030315.tif 000029
【図２８】
2020030315.tif 000030
【図２９】
2020030315.tif 000031
【図３０】
2020030315.tif 000032
【図３１】
2020030315.tif 000033
【図３２】
2020030315.tif 000034
【図３３】
2020030315.tif 000035